(57)【要約】【課題】路線に沿って設けられた各設備の設置位置を、コンピュータのディスプレイ上に表示された路線図中に表示し、設備の設置位置を視覚的に把握できる環境をオペレータに提供する。【解決手段】所定の路線が設けられた既知の範囲の地図である路線図をディスプレイ上に表示し、各設備の配置位置を示すアイコンを路線図上にそれぞれ表示する。このとき、路線上に設定された複数の距離標の距離程情報と設備の距離程情報とを用いて距離標の緯度経度情報を補間することにより、設備の配置位置の緯度経度を算出して、算出された緯度経度に対応する路線図中の位置にアイコンを表示する。【選択図】図２
2008116796.tif 000002
【特許請求の範囲】
【請求項１】
所定の路線に沿って配置された複数の設備に関する所定のデータを記録した設備データにアクセス可能なコンピュータに、前記路線が設けられた地図である路線図をディスプレイ上に表示する路線図表示処理と、前記設備の配置位置を示すアイコンを前記路線図上にそれぞれ表示するアイコン表示処理と、を実行させるプログラムであって、
前記路線上に設定された複数の距離標の距離程情報と前記設備の距離程情報とを用いて前記距離標の緯度経度情報を補間することにより、前記設備の配置位置の緯度経度を算出する緯度経度算出処理を、前記コンピュータに実行させ、
前記アイコン表示処理は、前記路線図中の、前記緯度経度算出処理により算出された緯度経度の位置に、前記設備のアイコンを表示する、
ことを特徴とする設備情報表示プログラム。
【請求項２】
前記アイコン表示処理は、前記路線図上の同一箇所にアイコンを表示すべき複数の前記設備があるとき、これら設備のうちアイコンを表示すべき設備を、前記設備データに記録されたこれら設備に関するデータの値により定まる優先順位にしたがって選択する優先表示処理を、含むことを特徴とする請求項１に記載の設備情報表示プログラム。
【請求項３】
前記路線図上のいずれか地点を指定する指定入力を受け付ける地点指定受付処理と、
指定された前記地点の緯度経度を決定する緯度経度決定処理と、
前記複数の設備のうち前記緯度経度算出処理により算出された配置位置の緯度経度が前記緯度経度決定処理により決定された緯度経度となるものを選択する設備選択処理と、
前記設備選択処理により選択された前記設備について前記設備データに記録された前記所定のデータを前記ディスプレイ上に表示させるデータ表示処理と、
を、前記コンピュータに更に実行させることを特徴とする請求項１に記載の設備情報表示プログラム。
【請求項４】
前記設備選択処理により選択された前記設備が複数個あるとき、選択された前記設備のリストを表示する設備リスト表示処理と、前記リストに表示された前記設備のうち前記データ表示処理により前記所定のデータを表示すべきものを選択する選択入力を受け付ける設備選択受付処理と、を更にコンピュータに実行させる、
ことを特徴とする請求項３に記載の設備情報表示プログラム。
【請求項５】
所定の路線に沿って所定の距離標間隔を隔てて設定される各距離標のそれぞれの緯度経度情報を含む距離標データを、コンピュータに作成させる距離標データ作成プログラムであって、
前記路線が設けられた地図である路線図を表示する路線図表示処理と、
前記距離標を設定すべき前記路線図上の位置を指定する指定入力を受け付ける距離標位置指定処理と、
前記距離標位置指定処理にて指定された前記路線図上の位置の緯度経度を前記距離標の緯度経度として記録する緯度経度記録処理と、
前記距離標位置指定処理により指定された位置を中心とし前記距離標間隔を半径とする円を、前記路線図上に表示する距離標間隔表示処理と、
を、コンピュータに実行させることを特徴とする距離標データ作成プログラム。
【請求項６】
所定の路線に沿って配置された複数の設備に関する所定のデータを記録した設備データにアクセス可能なコンピュータが、前記路線が設けられた地図である路線図をディスプレイ上に表示する路線図表示ステップと、前記設備の配置位置を示すアイコンを前記路線図上にそれぞれ表示するアイコン表示ステップと、を行う方法であって、
前記コンピュータが、前記路線上に設定された複数の距離標の距離程情報と前記設備の距離程情報とを用いて前記距離標の緯度経度情報を補間することにより、前記設備の配置位置の緯度経度を算出する緯度経度算出ステップを行い、
前記アイコン表示ステップは、前記路線図中の、前記緯度経度算出ステップにより算出された緯度経度の位置に、前記設備のアイコンを表示する、
ことを特徴とする設備情報表示方法。
【請求項７】
前記アイコン表示ステップは、前記路線図上の同一箇所にアイコンを表示すべき複数の前記設備があるとき、これら設備のうちアイコンを表示すべき設備を、前記設備データに記録されたこれら設備に関するデータの値により定まる優先順位にしたがって選択する優先表示ステップを、含むことを特徴とする請求項６に記載の設備情報表示方法。
【請求項８】
前記路線図上のいずれか地点を指定する指定入力を受け付ける地点指定受付ステップと、
指定された前記地点の緯度経度を決定する緯度経度決定ステップと、
前記複数の設備のうち前記緯度経度算出ステップにより算出された配置位置の緯度経度が前記緯度経度決定ステップにより決定された緯度経度となるものを選択する設備選択ステップと、
前記設備選択ステップにより選択された前記設備について前記設備データに記録された前記所定のデータを前記ディスプレイ上に表示させるデータ表示ステップと、
を、前記コンピュータが更に行うことを特徴とする請求項６に記載の設備情報表示方法。
【請求項９】
前記設備選択ステップにより選択された前記設備が複数個あるとき、選択された前記設備のリストを表示する設備リスト表示ステップと、前記リストに表示された前記設備のうち前記データ表示ステップにより前記所定のデータを表示すべきものを選択する選択入力を受け付ける設備選択受付ステップと、を前記コンピュータが更に行う、
ことを特徴とする請求項８に記載の設備情報表示方法。
【請求項１０】
所定の路線に沿って所定の距離標間隔を隔てて設定される各距離標のそれぞれの緯度経度情報を含む距離標データを、コンピュータが作成する距離標データ作成方法であって、
前記コンピュータが、
前記路線が設けられた地図である路線図を表示する路線図表示ステップと、
前記距離標を設定すべき前記路線図上の位置を指定する指定入力を受け付ける距離標位置指定ステップと、
前記距離標位置指定ステップにて指定された前記路線図上の位置の緯度経度を前記距離標の緯度経度として記録する緯度経度記録ステップと、
前記距離標位置指定ステップにより指定された位置を中心とし前記距離標間隔を半径とする円を、前記路線図上に表示する距離標間隔表示ステップと、
を、行うことを特徴とする距離標データ作成方法。
【発明の詳細な説明】
【技術分野】
【０００１】
本発明は、道路や鉄道などの所定の路線に沿って配置された設備に関する所定のデータ、例えば設備諸元データや設備点検データなど、をコンピュータを用いて管理するプログラム及び方法に関する。
【背景技術】
【０００２】
道路や鉄道などの交通設備を管理する企業や団体では、それぞれが管理する路線に沿って配置された設備についてその諸元データを記録する設備台帳や点検データを記録する設備点検台帳を作成し、例えば設備の補修計画及び点検計画を策定する際に利用している。ここで例えば高速道路には、ポール照明、可変情報板、街路情報板、ＣＣＴＶ、ＶＩＣＳ及びＥＴＣ路側無線装置を始めとする多種類の設備が路線に沿って配置されており、また例えば鉄道にも、各路線に沿って、信号機、転てつ機、踏切及び列車接近警報装置などの設備が路線に沿って配置されている。
【０００３】
なお、本発明に関して記載すべき先行技術文献はない。出願人が知っている先行技術が文献公知発明に係るものではないからである。
【発明の開示】
【発明が解決しようとする課題】
【０００４】
このような道路や鉄道といった路線に配置される設備は多数に及ぶため、これら設備の設備台帳や設備点検台帳だけを見ても、それぞれの設備が路線上のどの箇所に設けられているのかを視覚的に把握することは容易ではなく、このため効率的の補修計画及び点検計画を立案するにあたり障害となっていた。
例えば、複数の設備が台帳上はそれぞれ全く異なる箇所に記載されているが、実際には隣接して設けられているときに、設備の設置箇所を視覚的に把握できれば、作業計画者はこれら設備を同日に補修する作業計画を立てることにより補修作業箇所への移動時間を節約できる。しかし設備の設置箇所を視覚的に把握できない場合には、作業計画者がこれら設備のいずれかを看過してしまい、看過した設備だけをその他の設備と異なる時期に補修しなければならない効率の悪い計画を立案してしまうおそれある。
【０００５】
上記事情に鑑み、本発明は、コンピュータのディスプレイ上に表示された路線図中に設備のそれぞれの設置位置を示すアイコンを表示し、路線上の設備の設置位置を視覚的に把握できる環境をオペレータに提供することを目的とする。
【課題を解決するための手段】
【０００６】
上記目的を達成するために、本発明では、所定の路線が設けられた地図である路線図をディスプレイ上に表示し、各設備の配置位置を示すアイコンを路線図上にそれぞれ表示する。このとき、路線上に設定された複数の距離標の距離程情報と設備の距離程情報とを用いて距離標の緯度経度情報を補間することにより、設備の配置位置の緯度経度を算出して、算出された緯度経度に対応する路線図中の位置にアイコンを表示する。
【０００７】
本発明の第１形態によれば、所定の路線に沿って配置された複数の設備に関する所定のデータを記録した設備データにアクセス可能なコンピュータに、路線が設けられた地図である路線図をディスプレイ上に表示する路線図表示処理と、設備の配置位置を示すアイコンを路線図上にそれぞれ表示するアイコン表示処理と、を実行させる設備情報表示プログラムが提供される。
本プログラムでは、路線上に設定された複数の距離標の距離程情報と設備の距離程情報とを用いて距離標の緯度経度情報を補間することにより、設備の配置位置の緯度経度を算出する緯度経度算出処理をコンピュータに実行させ、上記アイコン表示処理において、路線図中の、緯度経度算出処理により算出された緯度経度の位置に、設備のアイコンを表示する。
【０００８】
本発明の第２形態によれば、所定の路線に沿って所定の距離標間隔を隔てて設定される各距離標のそれぞれの緯度経度情報を含む距離標データを、コンピュータに作成させる距離標データ作成プログラムが提供される。
本プログラムでは、路線が設けられた地図である路線図を表示する路線図表示処理と、距離標を設定すべき路線図上の位置を指定する指定入力を受け付ける距離標位置指定処理と、距離標位置指定処理にて指定された路線図上の位置の緯度経度を距離標の緯度経度として記録する緯度経度記録処理と、距離標位置指定処理により指定された位置を中心とし距離標間隔を半径とする円を路線図上に表示する距離標間隔表示処理と、をコンピュータに実行させる。
【０００９】
本発明の第３形態によれば、所定の路線に沿って配置された複数の設備に関する所定のデータを記録した設備データにアクセス可能なコンピュータが、路線が設けられた地図である路線図をディスプレイ上に表示する路線図表示ステップと、設備の配置位置を示すアイコンを路線図上にそれぞれ表示するアイコン表示ステップと、を行う方法が提供される。
本方法では、コンピュータが、路線上に設定された複数の距離標の距離程情報と設備の距離程情報とを用いて距離標の緯度経度情報を補間することにより、設備の配置位置の緯度経度を算出する緯度経度算出ステップを行い、アイコン表示ステップにおいて、路線図中の、緯度経度算出ステップにより算出された緯度経度の位置に、設備のアイコンを表示する。
【００１０】
本発明の第４形態によれば、所定の路線に沿って所定の距離標間隔を隔てて設定される各距離標のそれぞれの緯度経度情報を含む距離標データを、コンピュータが作成する距離標データ作成方法が提供される。
本方法では、コンピュータが、路線が設けられた地図である路線図を表示する路線図表示ステップと、距離標を設定すべき路線図上の位置を指定する指定入力を受け付ける距離標位置指定ステップと、距離標位置指定ステップにて指定された路線図上の位置の緯度経度を距離標の緯度経度として記録する緯度経度記録ステップと、距離標位置指定ステップにより指定された位置を中心とし距離標間隔を半径とする円を路線図上に表示する距離標間隔表示ステップと、を行う。
【発明の効果】
【００１１】
本発明によれば、コンピュータのディスプレイ上に表示された路線図中に設備のそれぞれの設置位置を示すアイコンを表示することができ、オペレータが設備の設置位置を視覚的に把握できる環境が実現される。
これにより、路線に沿って配置される各設備の補修計画や点検計画を立案するのに際して、効率のよい作業計画を立案することに寄与する。
【発明を実施するための最良の形態】
【００１２】
以下、添付する図面を参照して本発明の実施例を説明する。図１は、本発明の実施例による設備情報管理プログラム及び距離標データ作成プログラムを実行させるハードウエアの構成例を示すブロック図である。
コンピュータ１は、ＣＰＵ２と、このＣＰＵ２に接続されるメモリ３、データ出力手段であるディスプレイ４及びプリンタ７、データ入力手段であるキーボード５及びマウス９、並びに記憶手段であるハードディスク６、及びＣＤ−ＲＯＭドライブ、ＤＶＤドライブやリムーバブルディスクドライブ若しくはネットワークインタフェースなどで実現されるデータ入力装置８を備えて構成される。
【００１３】
図２は、図１に示されたハードディスク６の記憶内容を示すブロック図である。ハードディスク６には、コンピュータ１を動作させるために必要なオペレーティングシステム（ＯＳ）１０と、本発明の実施例による設備情報管理プログラム１１及び距離標データ作成プログラム４１とが記録されている。なお、設備情報管理プログラム１１は特許請求の範囲に記載された設備情報表示プログラムに対応し、距離標データ作成プログラム４１は特許請求の範囲に記載された距離標データ作成プログラムに対応する。
以下、設備情報管理プログラム１１は、高速道路に沿って配置される設備に関する所定のデータをコンピュータ１のディスプレイ４に表示し及び管理するシステムとして説明を行うが、本発明に係るプログラムは高速道路のような道路に沿って配置される設備を対象とするものに限られず、他にも鉄道設備など、所定の路線に沿って配置される設備を対象とするものに広く適用可能である。
【００１４】
またハードディスク６には、所定の路線に沿って配置された設備のそれぞれについて設備諸元等の諸元情報を記録した設備諸元テーブル１２と、各設備についての点検補修履歴を記録する設備点検テーブル１３とを備えている。
後述するとおり、設備諸元テーブル１２は、既存の設備台帳をコンピュータ可読媒体に入力することにより予め作成した設備諸元データ３１を、データ入出力装置８を経由してハードディスク６に読込んだ後に、この設備諸元データ３１を元にして設備情報管理プログラム１１によって作成される。また、設備点検テーブル１３は、既存の点検台帳をコンピュータ可読媒体に入力することにより予め作成した設備点検データ３２を、データ入出力装置８を経由してハードディスクに読込んだものを使用する。
なお、これら設備諸元テーブル１２及び設備点検テーブル１３は、特許請求の範囲に記載された、所定の路線に沿って配置された複数の設備に関する所定のデータを記録した設備データに対応する。
【００１５】
さらに、ハードディスク６には、後述する距離標テーブル１４、基準地点テーブル１５及び施設位置テーブル１６、マスタテーブル２０、設定ファイル２１が記録され、マスタテーブル２０には、図５の（Ａ）〜図５の（Ｄ）にそれぞれ示す路線マスタテーブル、方向マスタテーブル、設備マスタテーブル及び庁舎／料金所マスタテーブルが含まれる。また、設定ファイル２１には、図１１の（Ａ）〜図１１の（Ｄ）にそれぞれ示す経過年数分類定義テーブル、設置年度分類定義テーブル、点検結果分類定義テーブル及び任意色分け分類定義テーブル、並びに図１２の（Ａ）及び図１２の（Ｂ）に示す同一地点優先表示設定テーブル及びアイコン一覧テーブルが含まれる。
またさらに、設備情報管理プログラム１１は、後述するようにコンピュータ１のディスプレイ４に上記所定の路線の路線図を表示し、路線に沿って配置された設備の位置を路線図上にアイコン表示する機能を有するが、路線図を表示するための地図データ２３もまたハードディスク６に記録されている。
【００１６】
図３は、設備諸元テーブル１２のテーブル構造を示す図であり、図４は、設備諸元データ３１のテーブル構造を示す図である。両図において、テーブルの各レコード（行）が有する各列のフィールド名称とデータ型が示されており、図５、図７〜図１０においても同様である。
上述の通り、設備諸元テーブル１２は、予め設備台帳を入力して作成した設備諸元データ３１に基づいて設備情報管理プログラム１１により作成され、設備諸元テーブル１２は、図４に示す設備諸元データ３１の各フィールドに加えて、図３に示す設備コードフィールド（Ｇ列）、庁舎／料金所種別フィールド（Ｈ列）、庁舎／料金所コードフィールド（Ｉ列）を有する。
【００１７】
以下、設備諸元テーブル１２に含まれる主なフィールドに記録されるデータの内容について説明する。設備諸元テーブル１２は１レコード毎に１つの設備に関する設備諸元情報を記録し、登録番号フィールド（Ａ列）は、当該レコードに記録される設備毎に一意に与えられた識別子を記録する。
路線コードフィールド（Ｃ列）には、当該設備が配置される路線について割り当てられた路線コードが記録され、路線コードと路線名との対応は図５の（Ａ）に示す路線マスタテーブルに登録される。
方向コードフィールド（Ｄ列）には、Ｃ列に記憶された路線のレーンのうちどちらの方向に進行するレーンに当該設備が配置されたかを示す方向コードが記録され、方向コードと方向の対応は図５の（Ｂ）に示す方向マスタテーブルに登録される。
【００１８】
レーン番号フィールド（Ｅ列）には、当該設備が料金所に設けられる場合に、料金所のどのレーンに設けられるかが記録される。
地点名称フィールド（Ｆ列）には、当該設備が設置される位置の名称が記録される。
【００１９】
設備コード（Ｇ列）には当該設備の種類を示す設備コードが記録される。各設備コードがいかなる種類の設備を示すかは、図５の（Ｃ）に示す設備マスタテーブルに登録される。
図５の（Ｃ）に示す設備マスタテーブルは、上述の設備コードを記録する設備コードフィールド（Ａ列）を有する。設備諸元テーブル１２に記録される設備の種類には、例えばポール照明、可変情報板、街路情報板、ＣＣＴＶ、ＶＩＣＳ及びＥＴＣ路側無線装置などがある。
さらに設備マスタテーブルは、Ａ列に記録された設備コードが示す種類の設備の分類を記録する施設項目フィールド（Ｂ列）と、設備コードが示す種類の設備の名称を記録する設備名称フィールド（Ｃ列）と、以下の基準によって「１」又は「２」の値を有する設備分類フィールド（Ｄ列）とを有する。
【００２０】
設備諸元テーブル１２に記録される設備は、距離程、すなわち路線の起点からの道程によってその配置位置が特定される設備（例えば照明ポール）と、設置された庁舎、料金所や街路等の地点（以下、「基準地点」と記す）の位置によってその配置位置が特定される設備（例えばＥＴＣ路側無線装置）とに大別することができる。例えばＥＴＣ路側無線装置の場合には、その設置位置は当該装置が設置された料金所の位置によって特定される。
一方で、高速道路や鉄道の路線には、路線上の各地点の距離程を示す距離標、いわゆるキロポストが、路線に沿って設置されている。このため上述した、路線の起点からの道程によってその配置位置が特定される設備は、最寄りの距離標が示す距離程とこの距離標からの道程によって、その位置を特定することができる。
【００２１】
このように、設備諸元テーブル１２に記録される設備は、その設置位置を決定するための方法によって２分することができるため、設備マスタテーブルの設備分類フィールド（Ｄ列）には、Ａ列に記録された設備コードが示す種類の設備が、距離標を基準にその設置位置を決定するべきである場合には値「１」を、基準地点の位置によってその設置位置を決定するべきである場合には値「２」を記録する。図６に設備マスタテーブルの内容例を示す。
【００２２】
図３に戻り、設備諸元テーブル１２は、庁舎／料金所種別フィールド（Ｈ列）及び庁舎／料金所コードフィールド（Ｉ列）を有する。これらのフィールドには、当該レコードの設備が基準地点の位置によってその設置位置を決定するべきである場合、すなわち当該レコードの設備コードフィールド（Ｇ列）に記録される設備コードについて設備マスタテーブルにおいて定義された設備分類フィールド（図５の（Ｃ）のＤ列）に値「２」が定義されている場合に、当該設備が設置されている基準地点の種別とコードが記録される。
庁舎／料金所コードフィールドに記録される庁舎／料金所コードと基準地点の名称との対応は図５の（Ｄ）に示す庁舎／料金所マスタテーブルに登録される。
【００２３】
図５の（Ｄ）に示す庁舎／料金所マスタテーブルは、庁舎／料金所コードを記録する庁舎／料金所コードフィールド（Ａ列）と、Ａ列の庁舎／料金所コードが示す基準地点の名称を記録する庁舎／料金所名称フィールド（Ｃ列）と、Ａ列の庁舎／料金所コードが示す基準地点の種別を示す庁舎／料金所種別フィールド（Ｂ列）と、を有する。ここで、庁舎／料金所種別フィールド（Ｂ列）の値は、庁舎／料金所コードが示す基準地点が庁舎であるときは「１」の値を、料金所であるときには「２」の値を、街路であるときには「３」の値を登録する。
図３に戻り、設備諸元テーブル１２の庁舎／料金所種別フィールド（Ｈ列）の値は、庁舎／料金所コードフィールド（Ｉ列）に記録された庁舎／料金所コードについて庁舎／料金所マスタテーブルにおいて定義された庁舎／料金所種別フィールド（図５の（Ｄ）のＢ列）と同じ値を有する。
【００２４】
設備諸元テーブル１２は、距離標フィールド（Ｌ列）を有する。距離標フィールドには、当該レコードの設備が距離標を基準にその設置位置を決定するべきである場合、すなわち当該レコードの設備コードフィールド（Ｇ列）に記録される設備コードについて設備マスタテーブルにおいて定義された設備分類フィールド（図５の（Ｃ）のＤ列）の値が「１」がである場合に、当該設備が配置されている距離程が記録される。
【００２５】
設置日フィールド（Ｑ列）には当該設備が配置された日付が記録され、設置年度フィールド（Ｒ列）には当該設備が配置された年度が記録される。また着色フィールド（Ｔ列）には、図２９を参照して後述する色分け／検索表示ルーチンにおいて、当該レコードの設備のアイコンを路線図上に表示する際に使用する色コード（１〜５の値）が記録される。
その他、設備諸元テーブル１２には、各設備毎に、その形式（Ｏ列）やメーカ（Ｐ列）などの諸元情報が記録される。
【００２６】
図７は、設備点検テーブル１３のテーブル構造を示す図である。上述の通り、設備点検テーブル１３は、予め点検台帳を入力して作成した設備点検データ３２を読み込んで使用し、設備点検データ３２もまた図７と同様のデータ構造を有している。
設備点検テーブル１３は、設備諸元テーブル１２に記録された各設備毎に、異なるレコードに分けて設備点検情報が記録され、設備点検テーブル１３の登録番号フィールド（Ａ列）には、設備諸元テーブル１２の登録番号フィールド（Ａ列）で使用されている登録番号が記録されている。
その他、設備点検テーブル１３には、検査結果のランクを記録する点検結果フィールド（Ｄ列）などの設備点検情報を記録する領域が用意されている。
【００２７】
図８は、距離標テーブル１４のデータ構造を示す図である。上述の通り、設備諸元テーブル１２に記録された各設備が配置される路線には、路線上の各地点の距離程を示す距離標が路線に沿って配置されており、距離標テーブル１４はこれら距離標の位置情報を記録するために設けられる。
距離標テーブル１４は、１レコード毎に１つの距離標の位置情報を記録し、当該レコードの距離標が配置される路線コード（Ａ列）、地点名称（Ｂ列）、方向コード（Ｃ列）、距離程（Ｄ列の距離標フィールドに記録される）、中心緯度（Ｇ列）及び中心経度（Ｊ列）を記録する。
距離標テーブル１４の記録される距離標は、実際に路線に沿って配置された現実の距離標であってもよく、またはある路線上のある距離程の位置についてこの位置の緯度経度を定義するために仮想的に設置された仮想的な距離標であってもよい。
【００２８】
図９は、基準地点テーブル１５のデータ構造を示す図である。基準地点テーブル１５は、庁舎、料金所や街路等の基準地点の位置情報を記録するために設けられる。基準地点テーブル１５は、１レコード毎に１つの基準地点の位置情報を記録し、当該レコードの基準地点が存在する路線コード（Ａ列）、当該レコードの基準地点が庁舎／料金所マスタテーブルに定義されたどの施設の位置であるかを示す庁舎／料金所コード（Ｃ列）を有する。
さらに基準地点テーブル１５は、そのＣ列に記録された庁舎／料金所コードについて、図５の（Ｄ）に示す庁舎／料金所マスタテーブルにおいて定義された庁舎／料金所種別フィールド（図５（Ｄ）のＤ列）の値を記録する庁舎／料金所種別フィールド（Ｂ列）を有する。
【００２９】
また、基準地点テーブル１５は、当該レコードの基準地点の中心緯度（Ｅ列）及び中心経度（Ｆ列）を記録するフィールドと、当該レコードの基準地点が料金所である場合、すなわち庁舎／料金所種別フィールド（Ｂ列）の値が「２」である場合に、基準地点が指し示すレーン番号を指定するレーン番号フィールド（Ｄ列）を有する。
【００３０】
図１０は、施設位置テーブル１６のテーブル構造を示す図である。施設位置テーブル１６は、設備諸元テーブル１２に記録された各設備の位置情報を記録するために設けられ、後述するようにこれら設備の位置を路線図上に表示する際に、その表示位置の２次元座標を定めるために使用される。
また、施設位置テーブル１６は、データ入出力装置８を経由してハードディスク６に読込んだ設備諸元データ３１を設備諸元テーブル１２に読み込む際に、設備情報管理プログラム１１によって自動的に生成される。この処理については後に詳述する。
【００３１】
施設位置テーブル１６は、１レコード毎に１つの設備の位置情報を記録し、施設位置テーブル１６の登録番号フィールド（Ａ列）に記録される登録番号は、設備諸元テーブル１２の登録番号フィールド（Ａ列）で使用されている登録番号と同じ識別子が使用される。
施設位置テーブル１６は、設備の位置を表示する路線図の縮尺に応じて表示位置を変えて視認性を高めるため、大縮尺（１／３２００〜１／８００）の路線図に表示する場合に使用する設備の位置の緯度経度を記録するためのフィールド（Ｂ列及びＣ列）と、小縮尺（〜１／６２５０）の路線図に表示する場合に使用する設備の位置の緯度経度を記録するためのフィールド（Ｄ列及びＥ列）とを有している。
【００３２】
図１１の（Ａ）は、図２に示す各設定ファイル２１に含まれる経過年数分類定義テーブルの内容を示す図である。図２９を参照して後述する色分け／検索表示ルーチンでは、設備諸元テーブル１２に記録された設備を所定の分類基準にしたがって複数のグループに分類分けし、路線図上に表示された設備位置のアイコンを各グループ毎に色分けする。
【００３３】
経過年数分類定義テーブルは、この色分け／検索表示ルーチンにおいて、図３に示す設備諸元テーブル１２の設置日フィールド（第Ｑ列）に記録された各設備の設置日から現在までの経過年数に応じて各設備を分類分けする分類基準を定義するテーブルであり、設備諸元テーブル１２に記録された設備をＣＯＤＥ「１」〜「６」までの６グループに分類分けし、分類分けされた各グループに所属する設備がそれぞれ満たすべき経過年数の範囲の境界値と、各グループに属する設備を路線図上に表示するアイコン色の色コードと、を定義する。
【００３４】
図示のテープルの例では、経過年数の範囲を定める上限下限のうち下限のみを境界値として定め、所定の基準年数から経過年数を引いた値が、−６年以下となる設備はＣＯＤＥ１のグループに属し、−５年以上−１年以下の設備はＣＯＤＥ２のグループに属し、０年以上４年以下の設備はＣＯＤＥ３のグループに属し、５年以上９年以下の設備はＣＯＤＥ４のグループに属し、１０年以上１５年以下の設備はＣＯＤＥ５のグループに属し、１５年以上の設備はＣＯＤＥ６のグループに属するように分類基準を定義している。
【００３５】
図１１の（Ｂ）は、図２に示す各設定ファイル２１に含まれる設置年度分類定義テーブルの内容を示す図である。設置年度分類定義テーブルは、上記色分け／検索表示ルーチンにおいて、図３に示す設備諸元テーブル１２の設置年度フィールド（第Ｒ列）に記録された各設備の設置年度に応じて各設備を分類分けする分類基準を定義するテーブルであり、設備諸元テーブル１２に記録された設備をＣＯＤＥ「１」〜「６」までの６グループに分類分けし、分類分けされた各グループにそれぞれ所属する設備が満たすべき設置年度の範囲の境界値と、各グループに属する設備を路線図上に表示するアイコン色の色コードと、を定義する。
【００３６】
図示のテープルの例では、設置年度が、昭和５７年以前である設備はＣＯＤＥ１のグループに属し、昭和５８年〜昭和６２年である設備はＣＯＤＥ２のグループに属し、昭和６３年〜平成４年である設備はＣＯＤＥ３のグループに属し、平成５年〜平成９年である設備はＣＯＤＥ４のグループに属し、平成１０年〜平成１４年である設備はＣＯＤＥ５のグループに属し、平成１５年以降である設備はＣＯＤＥ６のグループに属するように分類基準を定義している。
【００３７】
図１１の（Ｃ）は、図２に示す各設定ファイル２１に含まれる検査結果分類定義テーブルの内容を示す図である。検査結果分類定義テーブルは、上記色分け／検索表示ルーチンにおいて、図７に示す設備点検テーブル１３に記録された検査結果フィールド（Ｄ列）に記録された点検結果に応じて、設備諸元テーブル１２に記録された設備を分類分けする分類基準を定義するテーブルであり、各設備をＣＯＤＥ「１」〜「８」までの８グループに分類分けし、分類分けされた各グループにそれぞれ所属する設備についての点検結果の値と、各グループに属する設備を路線図上に表示するアイコン色の色コードと、を定義する。
【００３８】
図示のテープルの例では、点検結果が、「構造Ａ」である設備はＣＯＤＥ１のグループに属し、「機能Ａ」である設備はＣＯＤＥ２のグループに属し、「構造Ｂ」である設備はＣＯＤＥ３のグループに属し、「機能Ｂ」である設備はＣＯＤＥ４のグループに属し、「構造Ｃ」である設備はＣＯＤＥ５のグループに属し、「機能Ｃ」である設備はＣＯＤＥ６のグループに属し、「Ｄ」である設備はＣＯＤＥ７のグループに属し、点検結果に値が入力されていない設備はＣＯＤＥ８のグループに属するように分類基準を定義する。
【００３９】
図１１の（Ｄ）は、図２に示す各設定ファイル２１に含まれる任意色分け分類定義テーブルの内容を示す図である。任意色分け分類定義テーブルは、図３に示す設備諸元テーブル１２の着色フィールド（第Ｔ列）に記録された色コードに各設備を分類分けする分類基準を定義するテーブルであり、着色フィールドが取りうる値１〜５に対応して各設備をＣＯＤＥ「１」〜「５」までの８グループに分類分けし、分類分けされた各グループにそれぞれ所属する設備についての点検結果の値と、各グループに属する設備を路線図上に表示するアイコン色の色コードと、を定義する。
【００４０】
図示のテープルの例では、着色フィールドの値が、「１」である設備はＣＯＤＥ１のグループに属し、「２」である設備はＣＯＤＥ２のグループに属し、「３」である設備はＣＯＤＥ３のグループに属し、「４」である設備はＣＯＤＥ４のグループに属し、「５」である設備はＣＯＤＥ５のグループに属するように分類基準を定義する。
このように、各設備を所定の分類基準にしたがって分類分けし路線図表の表示を色分けすれば、例えば老朽設備（設置年度が古い設備）を目立つ色で表示してオペレータを喚起することができる。
【００４１】
図１２の（Ａ）は、図２に示す各設定ファイル２１に含まれる同一地点優先表示設定テーブルの内容を示す図である。図２９を参照して後述する色分け／検索表示ルーチンでは、設備諸元テーブル１２に記録された設備を経過年度順、設置年度順、点検結果順、又は着色フィールド（図３の第Ｔ列）の値の順序にしたがって複数のグループに分類分けし、路線図上に表示された設備位置のアイコンを各グループ毎に色分けする。
【００４２】
しかし、設置位置が等しい設備が複数あると、オペレータを喚起するために所定のグループのアイコンを目立つ色で表示しても他のグループのアイコンに上書きされてしまい、オペレータを喚起できない場合が生じうる。
そこで色分け／検索表示ルーチンでは、設置位置が同じ設備が複数あるときには、分類分けされた設備が帰属するグループによって各設備に優先順位を設け、同じ設置位置に複数の設備がある場合には、この優先順位が高い設備のアイコンだけを路線図上に表示する。同一地点優先表示設定テーブルは各グループ間の優先順位を定義する。色分け／検索表示ルーチンの処理については後述する。
【００４３】
図１２の（Ａ）に示す例では、色分け／検索表示ルーチンにおいて経過年数順に分類分けを行う場合には、昇順すなわちＣＯＤＥ１に属する設備の優先順位が最も高く設定されＣＯＤＥ８に属する設備の優先順位が最も低く設定される。
また設置年度順に分類分けされる場合には、降順すなわちＣＯＤＥ１に属する設備の優先順位が最も低く設定されＣＯＤＥ８に属する設備の優先順位が最も高く設定される。
【００４４】
図１２の（Ｂ）は、図２に示す各設定ファイル２１に含まれるアイコン一覧テーブルの内容を示す図である。アイコン一覧テーブルは、路線図上に表示される設備の位置を示すアイコンの形状を定義するテーブルである。詳しくは図２１を参照して行うアイコンの表示処理の説明において後述する。
【００４５】
図１３は、設備情報管理プログラム１１の処理内容を説明する全体フローチャートである。はじめに設備情報管理プログラム１１は、ステップＳ１において設備諸元情報及び設備検査情報を参照するべき設備が配置されている路線を選択する選択入力を受け付ける。このため図１４に示す路線選択画面をディスプレイ４上に表示する。
【００４６】
路線選択画面には、以後表示の対象とすべき路線を選択する路線選択メニュー１０１〜１０３が表示されるので、オペレータは、マウス９やキーボード５等の入力手段を用いて、これらのメニューに表示されているいずれかの路線を選択することによって、路線を選択する。
【００４７】
ステップＳ２では、選択した路線の路線図をディスプレイ４上に表示する。図１５はステップＳ２により表示される路線図を含む路線図表示画面を示す図であり、図１６は路線図を表示するための地図表示ルーチンＳ２のフローチャートである。
地図表示ルーチンＳ２を呼び出すときには、表示すべき地図の左上点の緯度経度及び縮尺と、ディスプレイ４上における表示エリア１１４の左上点及び表示エリアの高さ及び幅を指定する。ここでは、各路線毎に、それぞれの路線図の左上の点の緯度経度と縮尺とを予め定めておき、これら路線毎の緯度経度及び縮尺の中から、ステップＳ１にて選択された路線について定められた緯度経度及び縮尺を指定する。
【００４８】
地図表示ルーチンＳ２では、まずステップＳ７０１において、表示すべき地図の絶対緯度経度座標の範囲を決定する。
例えば、ステップＳ７０１では、表示すべき地図の縮尺と、ディスプレイ４上の表示エリアの高さ及び幅に基づいて、表示すべき地図の範囲の絶対緯度座標の幅及び絶対経度座標の幅の幅を算出し、これら絶対緯度経度座標のそれぞれの幅と、表示すべき地図の左上点の緯度経度とから、表示すべき地図の右下点の緯度経度座標を算出することによって、表示すべき地図の絶対緯度経度座標の範囲を決定する。
【００４９】
ステップＳ７０２では、ステップＳ７０１で決定した範囲内にある地図の作図データを地図データ２３から読み込む。
ステップＳ７０３では、ステップＳ７０２で読み込んだ作図データの緯度経度座標系の座標値を、ディスプレイ４上の装置座標系の座標値に変換する。
ステップＳ７０４では、ステップＳ７０３にて変換された座標値を用いて、ステップＳ７０２で読み込んだ作図データをディスプレイ４上に描画する。
【００５０】
図１５に示す路線図表示画面においてデータ取り込みボタン１１１を押下すると、図１３に示すフローチャートのステップＳ３の条件分岐によって、処理はデータ取り込みルーチンＳ１０に移る。
図１７はデータ取り込みルーチンＳ１０のフローチャートである。データ取り込みルーチンＳ１０では、設備台帳から作成した設備諸元データ３１に記録されている各設備の設備諸元情報を設備諸元テーブル１２に取り込み、または点検台帳から作成した設備点検データ３２に記録されている各設備の設備点検情報を設備点検テーブル１３に取り込む。
【００５１】
まずステップＳ１０１において、設備諸元データ３１や設備点検データ３２のファイルが存在するハードディスク６中のフォルダの指示を、オペレータから受け付ける。
ステップＳ１０２において、取り込むべきデータが設備諸元データ３１及び設備点検データ３２のいずれであるかの指示を、オペレータから受け付ける。
ステップＳ１０３において、ステップＳ１０２で受け付けた指示入力が設備点検データ３２であることを示すとき、処理をステップＳ１０４に進めて設備点検データ３２を設備点検テーブル１３に取り込み処理を終了する。
【００５２】
ステップＳ１０３において、ステップＳ１０２で受け付けた指示入力が設備諸元データ３１であることを示すとき、処理をステップＳ１０５に進めて設備諸元データ３１の各レコードを設備諸元テーブル１２に取り込む。
設備諸元データ３１の各レコードは、設備諸元テーブル１２の設備コードフィールド、庁舎／料金所種別フィールド及び庁舎／料金所コードフィールド（図３のＧ〜Ｉ列）を含まない。したがってまずステップＳ１０６において、設備諸元テーブル１２に新たに取り込まれたレコードの設備コードを決定し、設備コードフィールド（Ｇ列）に記録する。
【００５３】
オペレータは、設備コードに関する情報を、例えば以下の方法によって指定することができる。まず、スプレッドシート形式のテーブルデータを作成する市販の表計算ソフトを用いて設備諸元データ３１を作成する。このとき各テーブルを各設備の種類毎に分けて別々のシートにそれぞれ入力する。そして予め各シートのシート名称の記録領域に、それぞれのシートに記録された種類の設備の設備名称を予め記録する。
ステップＳ１０５において設備諸元データ３１を取り込む際に、取り込み中のシートのシート名称の記録領域に記録されている設備名称を読み出し、図５の（Ｃ）に示す設備マスタテーブルの中から、この設備名称について定義されている設備コードを設備コードフィールド（Ａ列）から取得し、設備諸元テーブル１２に追加された新たなレコードの設備コードフィールド（Ｇ列）に記録する。
【００５４】
より簡単には、ステップＳ１０５において各設備の種類毎に設備諸元データ３１を取り込み、取り込む設備諸元データ３１の設備の種類の設備名称をオペレータに入力させてもよい。そして入力した設備名称について図５の（Ｃ）に示す設備マスタテーブルで定義されている設備コードを設備コードフィールド（Ａ列）から取得し、設備諸元テーブル１２に追加された新たなレコードの設備コードフィールド（Ｇ列）に記録してもよい。
【００５５】
ステップＳ１０７では、ステップＳ１０５で設備諸元データ３１を取り込んだ各設備が、距離標を基準にその設置位置を決定するべきか、または基準地点の位置によってその設置位置を決定するべきであるかを、それぞれの設備毎に判定する。
このために、ステップＳ１０６によって記録された設備コードに対して設備マスタテーブルにおいて定義された設備分類フィールドの値を参照し、この値が「１」である場合にはその設備は距離標を基準にその設置位置を決定するべきであると判断して処理をステップＳ１１０に進め、「２」である場合にはその設備は基準地点の位置によってその設置位置を決定するべきと判断して処理をステップＳ１２０に進める。
【００５６】
ステップＳ１１０では、ステップＳ１０７において設備分類が「１」となった設備について、この設備の緯度経度を決定して施設位置テーブル１６に記録する。
従来の道路管理や鉄道管理の分野においては、路線に沿って配置されたそれぞれの設備の位置を指定する位置情報として、殆どの場合において距離程情報を使用している。例えば図４に示す設備諸元データにおいても、各設備の位置を特定するために距離標フィールド（Ｉ列）を設けて距離程を記録している。
しかしながら、距離程情報は路線の起点からの道程を示す１次元情報であるから、距離程単体では２次元図面である路線図上の２次元座標を求めることができない。したがって設備情報管理プログラム１１が、各設備の位置のアイコンを路線図に表示するためには、１次元情報である距離程情報を、路線図上の２次元座標に変換する必要がある。
【００５７】
そこでステップＳ１１０では、当該設備を記録する設備諸元テーブル１２中の距離標フィールド（図３のＬ列）に記録される当該設備の距離程と、この設備を挟む最寄りの距離標のそれぞれの距離程を用いて、これらの距離標の緯度経度情報を補間することによって、当該設備の配置位置の緯度経度を算出する。
【００５８】
図１８は、距離標テーブル１４に記録された距離標の位置情報から設備の配置位置を決定するサブルーチンＳ１１０のフローチャートを示す図であり、図１９はその決定方法の説明図である。
ステップＳ１１１において、図１９に示す当該設備Ｃを記録する設備諸元テーブル１２中のレコードに記録された路線コード及び方向コード（図３のＣ列及びＤ列）と、同じ路線コード及び方向コードを持ち、かつ当該設備Ｃの距離程Ｋｃを挟む最寄りの２つの距離標を距離標テーブル１４の中から検索する。
この検索により抽出した２つの距離標Ａ及びＢを図１９に示す。ここに距離標Ａの距離程及び（緯度，経度）をそれぞれＫａ、（Ｙａ，Ｘａ）とし、距離標Ｂの距離程及び（緯度，経度）をそれぞれＫｂ、（Ｙｂ，Ｘｂ）とする。
【００５９】
ステップＳ１１２において、当該設備Ｃがこれら距離標Ａ及びＢのいずれかと同じ位置にあるか、若しくはこれら距離標Ａ及びＢ間の中間にあるかを、設備Ｃとそれぞれの距離標Ａ及びＢとの間の距離程の違いに従い判定する。当該設備Ｃがこれら距離標Ａ及びＢのいずれかと同じ位置にあるときには、ステップＳ１１３において距離標Ａ及びＢのうち当該設備Ｃと同じ距離程を有するいずれか一方の距離標の緯度経度を、当該設備Ｃの緯度経度として決定する。
当該設備Ｃがこれら距離標Ａ及びＢ間の中間にある場合には、ステップＳ１１４において当該設備Ｃからこれら隣接する２つの距離標Ａ及びＢまでのそれぞれの距離に応じて、按分計算によって、距離標Ａ及びＢの各緯度経度から当該設備の緯度経度を算出して決定する。
【００６０】
例えば図１９に示す例では、距離標Ａ及びＢ間の距離は（Ｋｂ−Ｋａ）として求めることができ、設備Ｃから距離標Ａまでの距離は（Ｋｃ−Ｋａ）として求めることができるところ、設備Ｃの緯度Ｙｃ及び経度Ｘｃは、それぞれ次式により算出することができる。
Ｘｃ＝Ｘｂ＋（Ｋｂ−Ｋａ）／（Ｋｃ−Ｋａ）×（Ｘｂ−Ｘａ）
Ｙｃ＝Ｙｂ＋（Ｋｂ−Ｋａ）／（Ｋｃ−Ｋａ）×（Ｙｂ−Ｙａ）
【００６１】
図１７に戻りステップＳ１０８において、当該設備の登録番号とステップＳ１１０により決定した緯度経度とを有する新しいレコードを施設位置テーブル１６に追加する。ここでは、追加されるレコードの中心緯度１フィールド及び中心緯度２フィールド（図１０のＢ列及びＤ列）に同じ緯度情報を記録し、中心経度１フィールド及び中心経度２フィールド（図１０のＣ列及びＥ列）にも同じ経度情報を記録してよい。
【００６２】
一方で、ステップＳ１２０では、設備諸元テーブル１２に記録された当該設備の地点名称（図３のＦ列）と同じ名称の基準地点の庁舎／料金所コードを庁舎／料金所マスタテーブルから探し、この庁舎／料金所コードを持つ基準地点の緯度経度情報を基準地点テーブル１５から探して、当該設備の配置位置の緯度経度として決定する。
図２０は、基準地点テーブル１５に記録された基準地点の位置情報から設備の配置位置を決定するサブルーチンＳ１２０のフローチャートを示す図である。
【００６３】
ステップＳ１２１では、設備諸元テーブル１２中の当該設備のレコードの地点名称フィールド（図３のＦ列）に記録される地点名称について庁舎／料金所マスタテーブルで定義された庁舎／料金所コードと庁舎／料金所種別を取得する。取得した庁舎／料金所コードと庁舎／料金所種別は、設備諸元テーブル１２中の当該設備のレコードの庁舎／料金所コード（Ｉ列）と庁舎／料金所種別コード（Ｈ列）に記録する。
【００６４】
ステップＳ１２２では、ステップＳ１２１で取得した庁舎／料金所種別に基づき、当該設備が料金所に配置されているのか否かを判定する。ここでは、ステップＳ１２１で取得した庁舎／料金所種別の値が「２」であれば当該設備が料金所に配置されていると判断して処理をステップＳ１２３に進め、「２」以外の値であればステップＳ１２４に進める。
【００６５】
ステップＳ１２３では、ステップＳ１２１で取得した庁舎／料金所コードと同じ庁舎／料金所コードを有し、かつ当該設備が配置された料金所のレーン番号（図３のＥ列）と同じレーン番号を有する基準地点を基準地点テーブル１５から探し、探し出した基準地点の緯度経度を当該設備の緯度経度として決定する。
ステップＳ１２４では、ステップＳ１２１で取得した庁舎／料金所コードと同じ庁舎／料金所コードを有する基準地点を基準地点テーブル１５から探し、探し出した基準地点の緯度経度を当該設備の緯度経度として決定する。
図１７に戻りステップＳ１０８において、当該設備の登録番号とステップＳ１２０により決定した緯度経度とを有する新しいレコードを施設位置テーブル１６に追加する。
【００６６】
図１５に戻り、路線図表示画面において表示施設選択ボタン１１２を押下すると、図１３に示すフローチャートのステップＳ３の条件分岐により、処理は表示施設選択ルーチンＳ２０に移る。表示施設選択ルーチンＳ２０では、路線図表示エリア１１４内にアイコンを表示する設備の種類を選択する。
図２１は表示施設選択ルーチンＳ２０のフローチャートである。表示施設選択ルーチンＳ２０ではまず、ステップＳ２０１及びＳ２０２において、設備諸元テーブル１２に記録される設備のうちからアイコン表示すべき設備の設備コードを選択する。
図２２は、図２１に示すステップＳ２０１〜Ｓ２０３において表示される表示施設選択ウインドウを示す図である。表示施設選択ウインドウには、施設項目入力欄１２１と、設備種別入力欄１２２と、追加ボタン１２３と、削除ボタン１２４と、選択済み設備リスト欄１２５と、スクロールボタン１２６が設けられている。
【００６７】
ステップＳ２０１では、設備マスタテーブルにおいて各設備コードの分類を示すために記録された施設項目（図５の（Ｃ）のＢ列）を選択する。オペレータはアイコン表示すべき設備の設備コードが属する施設項目を施設項目入力欄１２１に入力する。
次にステップＳ２０２では、オペレータはアイコン表示すべき設備の設備コードに対応する設備名称を設備種別入力欄１２２に選択する。設備種別入力欄１２２に設備名称を入力した状態で追加ボタン１２３を押下することにより、この設備名称が選択済み設備リスト欄１２５に追加される。
選択済み設備リスト欄１２５に設備名称が表示されることにより、この設備名称に対応する設備コードが、アイコン表示すべき設備の種類として選択され、かつまた選択された設備コードを有する設備がアイコン表示すべき設備として選択される。
【００６８】
ステップＳ２０３では、オペレータが選択済み設備リスト欄１２５に表示された設備名称のいずれかを選択した状態でスクロールボタン１２６を操作することによって、選択済み設備リスト欄１２５における設備名称の表示順序を変更する。
ステップＳ２０４では、設備リスト欄１２５に表示された設備名称毎にアイコン形状を決定する。コンピュータ１は、図２に示す設定ファイル２１内のアイコン一覧テーブル（図１２の（Ｂ））を参照し、選択済み設備リスト欄１２５において各設備名称がそれぞれリスト内の何番目に表示されているかに応じて、各設備名称に対応する各設備の種類毎のアイコン形状を、アイコン一覧テーブルのアイコン種別欄から決定する。
【００６９】
ステップＳ２０５では、選択済み設備リスト欄１２５に表示された設備名称に対応する設備コードを有するレコードを設備諸元テーブル１２から選択することにより、アイコン表示すべき各設備を選択する。
ステップＳ２０６では、ステップＳ２０５で選択されたレコードの設備の緯度経度を施設位置テーブル１６から取得する。すなわちステップＳ２０５で選択されたレコードの設備の登録番号と同じ登録番号を有するレコードを施設位置テーブル１６の中から選択し、選択されたレコードに記録された緯度経度を取得する。このとき、現在路線図表示エリア１１４に表示中の路線図の縮尺が１／３２００〜１／８００と大きい場合には、中心緯度１フィールド（Ｂ列）及び中心経度１フィールド（Ｃ列）から緯度経度を取得し、１／６２５０以下と小さい場合には、中心緯度２フィールド（Ｄ列）及び中心経度２フィールド（Ｅ列）から緯度経度を取得する。
【００７０】
ステップＳ２０７では、ステップＳ２０５で選択された設備のそれぞれについて、路線図表示エリア１１４に表示中の路線図上の、ステップＳ２０６で取得した緯度経度の位置に、ステップＳ２０４で選択した形状のアイコンを表示する。
図２３にアイコン表示ルーチンＳ２０７のフローチャートを示す。アイコン表示ルーチンＳ２０７を呼び出す場合には、アイコンを表示させる位置の緯度経度、アイコン形状及びアイコンの色を指定する。ここではアイコンの色は固定値（例えば白）を指定し、アイコンの表示位置の緯度経度はステップＳ２０６で施設位置テーブル１６から取得した表示すべき設備の緯度経度を指定し、アイコンの形状はステップＳ２０４で決定された形状を指定する。
【００７１】
ステップＳ７１１では、呼び出し元から指定されたアイコンの緯度経度情報をディスプレイ４上の装置座標系の座標値に変換する。路線図表示エリア１１４に路線図を表示するために図１６に示す地図表示ルーチンＳ２が既に実行されているから、表示中の路線図の左上点の緯度経度及び縮尺と、ディスプレイ４上における表示エリア１１４の左上点及び表示エリアの高さ及び幅はすでに既知である。したがってコンピュータ１は、図１６に示す地図表示ルーチンＳ２のステップＳ７０３と同様にして、アイコンの緯度経度情報をディスプレイ４上の装置座標系の座標値に変換することができる。
ステップＳ７１２では、指定された色及び形状のアイコンを、ステップＳ７１１で決定した座標の位置に表示する。図２４は、路線図表示エリア１１４に表示される路線図にアイコン１３１が表示された状態を示す図である。
【００７２】
図１５に戻り、路線図表示画面において路線図表示エリア１１４内のいずれかの箇所をマウス９で指示（クリック）すると、図１３に示すフローチャートのステップＳ３の条件分岐により、処理は諸元情報表示ルーチンＳ３０に移る。諸元情報表示ルーチンＳ３０では、路線図内のクリックされた位置にアイコンがあるとき、指定されたアイコンが示す設備について設備諸元テーブル１２及び設備点検テーブル１３にそれぞれ記録される設備諸元情報及び設備点検情報をディスプレイ４上に表示する。
【００７３】
図２５は、諸元情報表示ルーチンのフローチャートである。ステップＳ３０１において、路線図内のクリックされた位置の緯度経度を取得する。図２６に示す緯度経度取得ルーチンＳ３０１のフローチャートを示す。
ステップＳ７２１において、コンピュータ１を動作させるオペレーティングシステム１０から、マウス９がクリックされたディスプレイ４上の装置座標系の座標値を取得する。
ステップＳ７２２において、路線図表示エリア１１４に路線図を表示する際に使用された路線図の左上点の緯度経度及び縮尺と、表示エリア１１４の左上点及び表示エリアの高さ及び幅の値を使用して、ステップＳ７２１で取得した装置座標系の座標値を、緯度経度に変換する。
【００７４】
図２５に戻り、ステップＳ３０２では、設備諸元テーブル１２の中から、路線図表示エリア１１４にアイコンが表示されている設備を選択する。すなわち、設備諸元テーブル１２の中から、前述の表示施設選択ルーチンＳ２０によって選択されている設備コードを有するレコードを選択する。
ステップＳ３０３では、ステップＳ３０２で選択されたレコードに記録された設備の緯度経度を取得する。すなわち、ステップＳ３０２で選択されたレコードの登録番号（Ａ列）と同じ登録番号を有するレコードを施設位置テーブル１６内から選択し、選択されたレコードに記録される緯度経度を取得する。このとき、現在路線図表示エリア１１４に大縮尺（１／３２００〜１／８００）の路線図が表示されているときには、中心緯度１フィールド（Ｂ列）及び中心経度１フィールド（Ｃ列）から緯度経度を取得し、大縮尺（１／６２５０）の路線図が表示されているときには、中心緯度２フィールド（Ｄ列）及び中心経度２フィールド（Ｅ列）から緯度経度を取得する。
【００７５】
ステップＳ３０４では、ステップＳ３０２で取得したレコードのうち、これらレコードのそれぞれについてステップＳ３０３で取得した緯度経度が、ステップＳ３０１で取得された緯度経度と所定の距離内にあるレコードを選択する。
ステップＳ３０５では、ステップＳ３０４で選択したレコードが複数であるか否かを選択する。ステップＳ３０４で選択したレコードが単数であれば、路線図上でクリックされた位置に存在したアイコンの数、すなわち設備数は１つだけであるから、ステップＳ３０４で選択された設備諸元テーブル１２のレコードに記録される設備諸元情報と、このレコードに記録された設備について設備点検テーブル１３に記録された設備点検情報を、ディスプレイ４上に表示する（ステップＳ３０５）。図２７はこれら設備諸元情報及び設備点検情報を表示するための、施設情報表示ウインドウを示す図である。
【００７６】
図示するとおり、施設情報表示ウインドウには、ステップＳ３０４で選択された設備諸元テーブル１２のレコードに記録された設備諸元情報を表示する諸元情報表示欄１４１と、このレコードと同じ登録番号を有する設備点検テーブル１３のレコードに記録された設備点検情報を表示する点検情報表示欄１４２とを有している。
また施設情報表示ウインドウには、ステップＳ３０４で選択された設備諸元テーブル１２のレコードに記録された設備について、ハードディスク６内に記録されている写真ファイルの一覧を表示する写真一覧１４３と、この設備についてハードディスク６内に記録されている図面ファイルの一覧を表示する図面一覧１４５と、この設備についてハードディスク６内に記録されている文書ファイル１４６と、写真一覧１４２に表示される写真ファイルのうち一番先頭に表示されるファイルの内容を表示する写真表示欄１４４を有している。
【００７７】
図２５に戻り、ステップＳ３０５において、ステップＳ３０４で選択したレコードが複数であると判断した場合は、路線図上でクリックされた位置に複数のアイコン、すなわち複数の設備が存在することを意味する。この場合には処理を設備選択受付処理ステップＳ３０７に進める。ステップＳ３０７では、オペレータにより入力される、ステップＳ３０４で選択した複数のレコードのうちのいずれかを選択する選択指示を受け付ける。図２８は、設備選択受付処理ステップＳ３０７において、複数のレコードのうちいずれかを選択する設備選択ウインドウである。
【００７８】
設備選択ウインドウの同一地点設備表示欄１５１には、ステップＳ３０４で選択した複数のレコードに記録されたそれぞれの設備コードに対応する設備名称と、設備整理番号（図３のＢ列）が表示され、オペレータは表示された設備名称のいずれかを選択することによって、ステップＳ３０４で選択した複数のレコードのうちのいずれか一つを選択する。
【００７９】
そしてステップＳ３０８において、ステップＳ３０７で選択されたレコードに記録される設備諸元情報と、このレコードに記録された設備について設備点検テーブル１３に記録された設備点検情報を、図２７に示す施設情報表示ウインドウに表示する。
実際の設備が配置される現場には、同じ支持物や器具箱内に複数の設備が配置されることが少なくない。特に本実施例のように、複数の種類の設備、例えばポール照明、可変情報板、街路情報板、ＣＣＴＶ、ＶＩＣＳやＥＴＣ路側無線装置の設置位置のアイコンを同時に表示する場合では、複数の異なる種類の設備が同じ位置に配置されることが多くなる。
したがって、路線図上でクリックされた位置に複数の設備が存在する場合には、これら複数の設備の一覧を表示する施設情報表示ウインドウをディスプレイ４に表示し、これら複数の設備の一覧の中から、設備諸元情報及び設備点検情報を表示すべき設備を選択させる設備選択受付処理（Ｓ３０７）を実行することによって、オペレータの選択操作を支援する。
【００８０】
図１５に戻り、路線図表示画面において検索表示機能ボタン１１５を押下すると、図１３に示すフローチャートのステップＳ３の条件分岐により、処理は色分け／検索表示ルーチンＳ４０に移る。
色分け／検索表示ルーチンＳ４０では、前述の表示施設選択ルーチンＳ２０によって選択されている設備を所定の選択基準にしたがってさらに選択して絞り込むことにより、アイコン表示を制限する検索表示処理を実行する。
また色分け／検索表示ルーチンＳ４０では、前述の表示施設選択ルーチンＳ２０によって選択され路線図上にアイコンが表示されている設備を、所定の分類基準にしたがって複数のグループに分類分けし、路線図上に表示された設備位置のアイコンを各グループ毎に色分けする色分け表示処理を実行する。
検索表示処理及び色分け表示処理は、どちらか選択した一方のみ、又は両方同時に実行することができ、検索表示処理及び色分け表示処理を同時に実行する場合には、検索表示処理で選択された設備のアイコンのみが色分け表示される。
【００８１】
図２９は、色分け／検索表示ルーチンＳ４０のフローチャートである。色分け／検索表示ルーチンＳ４０に処理が移ることにより、ディスプレイ４上に表示種別選択ボタンが表示が表示される。図３０に、色分け表示機能ボタン１６１と、任意色分け表示ボタン１６２からなる表示種別選択ボタンが表示された状態を示す。
ステップＳ４０１では、オペレータがこれら色分け表示機能ボタン１６１及び任意色分け表示ボタン１６２のいずれかを押下する指示入力を受け付ける。ステップＳ４０１で色分け表示機能ボタン１６１が押下された場合、ステップＳ４０２の条件分岐により、処理はステップＳ４０３に移り、ディスプレイ４には、上記検索表示処理に使用する選択基準の種別及び上記色分け表示処理に使用する分類基準の種別を指定する、色分け／検索種別指定ウインドウが表示される。図３１に色分け／検索種別指定ウインドウを示す。
【００８２】
ステップＳ４０３において、オペレータは、色分け／検索種別指定ウインドウの検索種別指定メニュー１６３を操作することにより、検索表示処理に使用する選択基準の種別を指定し、色分け表示種別メニュー１６４を操作することにより、色分け表示処理に使用する分類基準の種別を指定する。
ここで、検索表示処理においてアイコン表示すべき設備を選択するために使用する所定の基準値として、各設備が設置されてから現在までの経過年数、設置年度又は検査結果（検査ランク）を採用する。
【００８３】
また色分け表示処理でも、アイコン表示すべき設備を色分けするために使用する所定の基準値として、同様に経過年数、設置年度又は検査ランクを採用する。
色分け表示処理では、分類分けされた各グループについて、各グループに属する設備が満たすべき基準値の範囲と各グループのアイコン色とを予め定め、各設備の基準値がいずれの範囲に属するかによって各設備を各グループに分類分けし、各グループに分類分けされた各設備のアイコンをそれぞれのグループのアイコン色で表示する。
各グループ毎の基準値の範囲とアイコン色は、図１１の（Ａ）〜図１１の（Ｃ）を参照してそれぞれ説明した、経過年数分類定義テーブル、設置年度分類定義テーブル、検査年度分類定義テーブルによって定義される。
【００８４】
例えば、経過年数分類定義テーブルは、経過年数（すなわち各設備について図３に示す設備諸元テーブル１２の設置日フィールド（第Ｑ列）に記録された日から現在までの年数を所定の基準年数から引いた経過年数）が基準値として採用された場合、経過年数が−６年以下となる設備をＣＯＤＥ１のグループに分類分けし、−５年以上−１年以下の設備をＣＯＤＥ２のグループに分類分けし、０年以上４年以下の設備をＣＯＤＥ３のグループに分類分けし、５年以上９年以下の設備をＣＯＤＥ４のグループに分類分けし、１０年以上１５年以下の設備をＣＯＤＥ５のグループに分類分けし、１５年以上の設備をＣＯＤＥ６のグループに分類分けすることを定義している。
【００８５】
また設置年度分類定義テーブルは、設置年度（すなわち各設備について設備諸元テーブル１２の設置年度フィールド（第Ｒ列）に記録された年度）が基準値として採用された場合、設置年度が昭和５７年以前である設備をＣＯＤＥ１のグループに分類分けし、昭和５８年〜昭和６２年である設備をＣＯＤＥ２のグループに分類分けし、昭和６３年〜平成４年である設備をＣＯＤＥ３のグループに分類分けし、平成５年〜平成９年である設備をＣＯＤＥ４のグループに分類分けし、平成１０年〜平成１４年である設備をＣＯＤＥ５のグループに分類分けし、平成１５年以降である設備をＣＯＤＥ６のグループに分類分けすることを定義している。
【００８６】
また検査結果分類定義テーブルは、検査結果（すなわち各設備について図７に示す設備点検テーブル１３に記録された検査結果フィールド（Ｄ列）の値）が基準値として採用された場合、検査結果が「構造Ａ」である設備をＣＯＤＥ１のグループに分類分けし、「機能Ａ」である設備をＣＯＤＥ２のグループに分類分けし、「構造Ｂ」である設備をＣＯＤＥ３のグループに分類分けし、「機能Ｂ」である設備をＣＯＤＥ４のグループに分類分けし、「構造Ｃ」である設備をＣＯＤＥ５のグループに分類分けし、「機能Ｃ」である設備をＣＯＤＥ６のグループに分類分けし、「Ｄ」である設備をＣＯＤＥ７のグループに分類分けし、点検結果に値が入力されていない設備をＣＯＤＥ８のグループに分類分けすることを定義している。
【００８７】
ステップＳ４０３では、選択基準及び分類基準の種別として、それぞれ検索種別指定メニュー１６３及び色分け表示種別メニュー１６４において、これらの基準値（経過年数、設置年度又は検査ランク）のいずれかを指定する。ここでは、選択基準の基準値として設置年度が、分類基準の基準値として検査ランクが指定されたものとして以下の説明を行う。
ステップＳ４０４において、図３２に示す色分け／検索条件指定ウインドウをディスプレイ４に表示する。オペレータは、絞り込み条件指定メニュー１６５を操作することにより、アイコン表示される設備が満たすべき条件である選択条件を指定する。ここでは選択基準の基準値として各設備の設置年度が指定されているので、アイコン表示される設備の設置年度の範囲を選択条件として選択する。
また、オペレータは、色指定ボタン１６６を押下し表示される色選択メニュー（図示せず）を操作することにより、分類分けされた各グループに属する設備のアイコン色を選択する。
【００８８】
ステップＳ４０５では、アイコン表示すべきレコードをステップＳ４０４で指定された選択条件に従って絞り込む。図３３は、表示レコード絞り込みルーチンＳ４０５のフローチャートである。
ステップＳ４２１では、設備諸元テーブル１２のうち、前述の表示施設選択ルーチンＳ２０によって選択されている種類の設備のレコードを選択する。
ステップＳ４２２では、ステップＳ４２１で選択されたレコードのうち、ステップＳ４０４で指定された選択条件を満たす設備のレコードを選択する。
【００８９】
図２９に戻りステップＳ４０６では、図２９のステップＳ４０３において分類条件の基準値として、経過年数、設置年度及び検査年度のいずれが選択されたかに従い、図１１の（Ａ）〜（Ｃ）に示した３つの分類定義テーブルのうちから、それぞれ経過年数分類定義テーブル、設置年度分類定義テーブル及び検査年度分類定義テーブルを選ぶ。
次に、ステップＳ４０５で選択された複数のレコードのそれぞれの基準値に応じて、分類定義テーブルに従って、ここに定義されたいずれかのグループへと各レコードを分類分けする。そして各グループについて分類定義テーブルで定義した色を、各グループに属するレコードのアイコン色として決定する。
【００９０】
ステップＳ４０７では、ステップＳ４０５によって選択された設備諸元テーブル１２の複数のレコードの中に、同一位置に設けられた異なる複数の設備の各々のレコードを含むとき、これら同一位置の複数の設備のうちいずれの設備のアイコンを表示すべきかを、ステップＳ４０７で分類分けされたグループの順序に基づく優先順位に従って決定する同一地点優先表示処理を実行する。
同一地点優先表示処理を行う利点について説明する。色分け表示処理を行うことにより、各設備の経過年数、設置年度及び検査結果に応じて、それぞれの設備のアイコンの表示色を変え、これらアイコンを見るオペレータの視覚に訴える程度に強弱をつけることができる。通常は、古い設備や点検結果が悪いなどの点検又は補修の優先度が高い設備など、オペレータの注意を喚起する必要がある設備に赤などの目立つアイコン色を配色することが考えられる。
【００９１】
しかしながら、上述のように同じ箇所に複数の設備が配置されることが少なくない。特に本実施例のように、複数の種類の設備のアイコンを同時に表示する場合はこの傾向が強くなる。このために複数の設備のアイコンが同一地点に表示されると、アイコンの描画順序によっては、目立たせたいアイコン（目立つ色が配色されたアイコン）の上に他のアイコンが表示されてしまい、オペレータの注意を喚起する必要がある設備のアイコンが隠れてしまうという問題が生じうる。
このため、複数の設備のアイコンが同一地点に表示される場合には、同一地点優先表示処理によって、色分け表示処理で分類分けされたグループの順序に基づく優先順位に従ってこれら複数の設備のアイコンのいずれかを選択することにより、上記不都合を解決する。
【００９２】
図３４に同一地点優先表示処理ルーチンＳ４０７のフローチャートを示す。
ステップＳ４３１において、現在選択中のレコード、ここではステップＳ４０５により選択された設備諸元テーブル１２の複数のレコードの設備のそれぞれの経度緯度を、施設位置テーブル１６から取得する。すなわち、ステップＳ４０５により選択された複数のレコードのそれぞれについて、当該レコードと同じ登録番号を有する施設位置テーブル内のレコードに記録されている経度緯度を取得する。
ステップＳ４３２では、以下の反復ステップＳ４３３〜Ｓ４３７で使用する繰り返し変数「ｉ」の値を初期化する。
【００９３】
ステップＳ４３３では、ステップＳ４０５により選択された複数レコードのうち第ｉ番目のレコードについて、アイコンを表示すべきか否かに関する表示可否決定が、第１〜（ｉ−１）番目のレコードについて先行して実行したステップＳ４３５にて既に行われたか否かを判定する。第ｉ番目のレコードについての表示可否決定を既に行っている場合には、ステップＳ４３４及びＳ４３５をスキップして処理をＳ４３６へ移す。
第ｉ番目のレコードについての表示可否決定を未だ行っていない場合には、ステップＳ４３４について、ステップＳ４３１で取得したそれぞれのレコードの設備の緯度経度と、ｉ番目のレコードの設備の緯度経度とをそれぞれ比較することにより、ステップＳ４０５により選択された複数レコードの中からｉ番目のレコードの設備と同じ地点の設備のレコードを選択する。
【００９４】
ステップＳ４３５において、第ｉ番目のレコード及びステップＳ４３４で選択したレコードの中で、図２９のステップＳ４０６で分類分けしたグループの順序同士を比較する。ここで各グループの順序として、図１１の（Ａ）〜（Ｃ）に示した各分類定義テーブルで定義されているＣＯＤＥ欄の値を使用してよい。
そして、第ｉ番目のレコード及びステップＳ４３４で選択したレコードのうち、帰属するグループの順序の優先順位が高いレコードのみに対してアイコン表示を許可し、その他のレコードについてアイコン表示を禁止する。
ＣＯＤＥ欄の値で優先順位を決定するとき、ＣＯＤＥ欄の値の昇順又は降順のいずれで優先順位を定めるのかは、図１２の（Ａ）に示す同一地点優先表示設定テーブルの設定に従って決定する。
【００９５】
ステップＳ４３６では、繰り返し変数「ｉ」の値を１だけ増加させる。そしてステップＳ４３７で第ｉ番目のレコード、すなわち次のレコードの存否を判断し次のレコードがない場合には処理を終了し、まだ次のレコードがある場合には処理をステップＳ４３３に戻す。
【００９６】
図２９に戻り、ステップＳ４０８では、ステップＳ４０７においてアイコンの表示が許可されたレコードのみについて、ステップＳ４０６で決定したアイコン色のアイコンを表示する。アイコン表示ルーチンは図２３に示したものと同様であるから簡単のため説明を省略する。
【００９７】
ステップＳ４０１で任意色分け機能ボタン１６２が押下された場合には、任意色分け表示処理が行われ、ステップＳ４０２の条件分岐により、処理はステップＳ４０９に移る。
任意色分け表示処理は、図１５に示す表示設備欄１１３の一番上位に表示されている種類の設備のみをアイコン表示し、かつ各アイコンは、設備諸元テーブル１２の着色フィールド（図３のＴ列）の値によって色分けされる。
なお、表示設備欄１１３に表示される設備の種類及び表示順序は、図２２に示す表示施設選択ウインドウの選択済み設備リスト欄１２５と同様であり、前述の表示施設選択ルーチンＳ２０において決定することができる。
【００９８】
ステップＳ４０９では、設備諸元テーブル１２のうち、前述の表示施設選択ルーチンＳ２０によって選択されている設備の種類のうち、図１５に示す表示設備欄１１３の一番上位に表示されている種類の設備のレコードを選択する。
【００９９】
ステップＳ４１０では、ステップＳ４０９で選択されたレコードを、それぞれの着色フィールドに記録されている値に基づいて、図１１の（Ｄ）に示した任意色分け定義テーブルに定める定義に従って５つグループに分類分けする。すなわち、着色フィールドの値が「１」〜「５」となるレコードを、それぞれＣＯＤＥ「１」〜「５」のグループに分類分けする。そして、任意色分け定義テーブルにおいて各グループついて定義されている色を、各グループに属するレコードの設備の表示アイコン色とする。
【０１００】
ステップＳ４１１では、前述した同一地点優先表示処理Ｓ４０７と同様に、ステップＳ４０９によって選択された設備諸元テーブル１２の複数のレコードの中に、同一位置に設けられた異なる複数の設備の各々のレコードを含むとき、これら同一位置の複数の設備のうちいずれの設備のアイコンを表示すべきかを、ステップＳ４１０で分類分けされたグループの順序に基づく優先順位に従って決定する。ステップＳ４１１で行う処理は、前述した同一地点優先表示処理Ｓ４０７と同様であるため、簡単のため説明を省略する。
【０１０１】
ステップＳ４１３では、ステップＳ４１１においてアイコンの表示が許可されたレコードのみについて、ステップＳ４１０で決定したアイコン色のアイコンを表示する。アイコン表示ルーチンは図２３に示したものと同様であるから簡単のため説明を省略する。
【０１０２】
図１５に戻り、路線図表示画面において修正機能ボタン１１６を押下すると、図１３に示すフローチャートのステップＳ３の条件分岐により、処理は位置修正ルーチンＳ５０に移る。位置修正ルーチンＳ５０では、図２に示す距離標テーブル１４、基準位置テーブル１５及び施設位置テーブル１６に記録されている緯度経度情報を修正する。図３５に位置修正ルーチンＳ５０のフローチャートを示す。
ステップＳ５０１において、図３６に示す修正対象選択ウインドウをディスプレイ４に表示する。修正対象選択ウインドウには、距離標修正機能、施設位置修正機能、基準地点修正機能からなる３つの修正機能をそれぞれ選択するラジオボタン１７１〜１７３が表示され、オペレータは、これらのラジオボタンのいずれかを選択することにより、上記３つの修正機能のいずれかを指定する。
【０１０３】
修正対象選択ウインドウで距離標修正機能を選択すると、ステップＳ５０３の条件分岐により、処理は距離標修正処理ルーチンＳ５１０に移る。図３７に距離標修正処理ルーチンＳ５１０のフローチャートを示す。いま図３８に示す路線図において、地点１８１の位置にある距離標（基点から６．８ｋｍの距離程にある距離標）の位置を、新地点１８２に変更する手順を例に示して説明する。
図３７に戻り、ステップＳ５１１では、オペレータがディスプレイ４に表示された路線図上の新地点１８２の位置をマウス９でクリックしたとき、クリックされたディスプレイ４上の装置座標を取得する。
ステップＳ５１２では、Ｓ５１１で取得した新地点１８２の装置座標を、緯度経度座標に変換する。変換方法は、図２６に示す緯度経度取得ルーチンＳ３０１と同様であるから、簡単のため説明を省略する。
【０１０４】
ステップＳ５１３では、ステップＳ５１１で指定した新地点１８２に移動させるべき距離標１８１の諸元情報を入力する。距離標諸元情報入力ウインドウを図３９に示す。距離標諸元情報入力ウインドウには、位置を移動させる距離標の路線コードを選択する路線コード入力欄１８４と、地点名称を入力する地点名称入力欄１８５と、方向コードを入力する方向コード入力欄１８６と、距離程を入力する距離程入力欄１８７が、設けられており、ステップＳ５１３では、新地点１８２に移動させる距離標の路線コード、地点名称、方向コード及び距離程をこれらの欄に入力する。
【０１０５】
ステップＳ５１４では、図８に示す距離標テーブル１４から、ステップＳ５１３で入力された路線コード、地点名称、方向コード及び距離程を有するレコードを選択し、このレコードの中心緯度フィールド（Ｇ列）及び中心経度フィールド（Ｊ列）に、ステップＳ５１２で取得した緯度経度を記録する。図４０に、距離標の位置を修正した後の路線図を示す。
【０１０６】
図３６に戻り修正対象選択ウインドウで基準地点修正機能を選択すると、図３５に示すフローチャートのステップＳ５０３の条件分岐により、処理は基準地点修正処理ルーチンＳ５２０に移る。図４１に基準地点修正処理ルーチンＳ５２０のフローチャートを示す。いま図４２に示す路線図において地点１９１の位置にある基準地点１９１を新地点１９２に変更する手順を例にして説明する。
なお、基準地点は路線図上に直接表示されないため、本例では基準地点１９１として設備が設置されている基準地点を選んだ。このため図４２では基準地点１９１の位置にアイコンが表示されている。
【０１０７】
図４１に戻り、ステップＳ５２１では、オペレータがディスプレイ４に表示された路線図上の新地点１９２の位置をマウス９でクリックしたとき、クリックされたディスプレイ４上の装置座標を取得する。
ステップＳ５２２では、Ｓ５２１で取得した新地点１８２の装置座標を、緯度経度座標に変換する。変換方法は、図２６に示す緯度経度取得ルーチンＳ３０１と同様であるから、簡単のため説明を省略する。
【０１０８】
ステップＳ５２３では、ステップＳ５２１で指定した新地点１９２に移動させるべき基準地点距離標１９１の諸元情報を入力する。基準地点諸元情報入力ウインドウを図４３に示す。距離標諸元情報入力ウインドウには、位置を移動させる基準位置の路線コードを選択する路線コード入力欄１９３と、庁舎・料金所種別を入力する庁舎・料金所種別入力欄１９４と、庁舎・料金所名称を入力する庁舎・料金所名称入力メニュー１９５と、レーン番号を入力するレーン番号入力欄１９６が設けられている。
ステップＳ５２３では、オペレータがまず、路線コード入力欄１９３に路線コードを、庁舎・料金所種別入力欄１９４に庁舎・料金所種別を入力すると、図９に示す基準地点テーブル１５から、入力された路線コード及び庁舎・料金所種別を有するレコードを選択し、選択された各レコードの庁舎／料金所コードと同じコードを有するレコードを、図５の（Ｄ）に示す庁舎／料金所マスタテーブルから選択する。そして庁舎／料金所マスタテーブルから選択されたレコードの庁舎／料金所名称のリストを用いて庁舎・料金所名称入力メニュー１９５を生成する。
【０１０９】
オペレータが庁舎・料金所名称入力メニュー１９５からいずれかの庁舎／料金所名称を選択し、レーン番号入力欄１９６にレーン番号を入力すると、ステップＳ５２４において、図９に示す基準地点テーブル１５から、ステップＳ５２３で入力された路線コード及びレーン番号とステップＳ５２３で選択された庁舎／料金所名称に対応する庁舎／料金所コードとを有するレコードを選択する。そして選択したレコードの中心緯度フィールド（Ｅ列）及び中心経度フィールド（Ｆ列）に、ステップＳ５２２で取得した緯度経度を記録する。
【０１１０】
図４４に、基準地点の位置を修正した後の路線図を示す。なお、本実施例では、距離標修正処理Ｓ５１０や基準地点修正距離Ｓ５２０は、それぞれ距離標テーブル１４や基準地点テーブル１５の内容を更新するものであって、これらの処理Ｓ５１０やＳ５２０を実行しても、一度決定した各設備の位置、すなわちアイコンの位置が更新されるわけではない。したがって、既に設備諸元テーブル１２に取り込まれた設備のアイコン表示位置の再計算を行うためには、図５０に示す後述の施設位置再計算処理Ｓ６０４を行う。
図４４は、基準地点１９１の位置を修正した後にこの施設位置再計算処理Ｓ６０４を行うことにより、基準地点１９１の位置に配置された設備のアイコン位置を更新した後の路線図である。
【０１１１】
図３６に戻り修正対象選択ウインドウで施設位置修正機能を選択すると、図３５に示すフローチャートのステップＳ５０３の条件分岐により、処理は施設位置修正処理ルーチンＳ５３０に移る。図４５に施設位置修正処理ルーチンＳ５３０のフローチャートを示す。いま大縮尺（１／３２００〜１／８００）の路線図では、図４６に示すように路線図の設備２０１を新地点２０２に表示するように変更し、小縮尺（〜１／６２５０）の路線図では図４７に示すように新地点２１１に表示するように変更する。
【０１１２】
ステップＳ５３１では、オペレータがディスプレイ４に表示された路線図上の大縮尺路線図用の新地点２０２の位置をマウス９でクリックしたとき、クリックされたディスプレイ４上の装置座標を取得する。
ステップＳ５３２では、Ｓ５３１で取得した新地点２０２の装置座標を、緯度経度座標に変換する。変換方法は、図２６に示す緯度経度取得ルーチンＳ３０１と同様であるから、簡単のため説明を省略する。
【０１１３】
ステップＳ５３３では、ステップＳ５３１で指定した新地点２０２に移動させるべき設備２０１の諸元情報を入力する。設備諸元情報入力ウインドウを図４８に示す。距離標諸元情報入力ウインドウには、登録番号を入力する登録番号入力欄２０３と、ステップＳ５３２で取得した緯度経度をそれぞれ表示する中心緯度表示欄２０４及び中心経度表示欄２０５が設けられている。ステップＳ５３３では、オペレータが登録番号入力欄２０３に登録番号を入力する。
【０１１４】
ステップＳ５３４では、ステップＳ５３３で登録番号を入力した設備２０１のアイコンを小縮尺路線図に表示させるための新地点２１１のディスプレイ４上の装置座標を取得する。オペレータがディスプレイ４に表示された路線図上の小縮尺路線図用の新地点２１１の位置をマウス９でクリックしたとき、クリックされたディスプレイ４上の装置座標を取得する。
ステップＳ５３５では、Ｓ５３４で取得した新地点２１１の装置座標を、緯度経度座標に変換する。変換方法は、図２６に示す緯度経度取得ルーチンＳ３０１と同様であるから、簡単のため説明を省略する。
【０１１５】
ステップＳ５３６では、図１０に示す施設位置テーブル１６から、ステップＳ５３３で入力された登録番号を有するレコードを選択する。そして選択したレコードの中心緯度１フィールド（Ｂ列）及び中心経度１フィールド（Ｃ列）にステップＳ５３２で取得した緯度経度を記録し、このレコードの中心緯度２フィールド（Ｄ列）及び中心経度２フィールド（Ｅ列）にステップＳ５３５で取得した緯度経度を記録する。
施設位置修正処理ルーチンＳ５３０によって、同じ設備のアイコンの表示位置の緯度経度を、大縮尺の路線図と小縮尺の路線図とで異ならせることが可能となる。したがって大縮尺の路線図では実際の設備の配置位置にできるだけ近い位置に表示させる一方で、近接する設備同士でアイコンが重なりやすい小縮尺の路線図では、近接する設備同士のアイコン位置を重なりにくいように表示位置をレイアウトし直すことによって、オペレータの作業環境を向上させることが可能となる。
【０１１６】
図１５に戻り、路線図表示画面において詳細設定ボタン１１６を含んでいる。図１３に示すフローチャートのステップＳ３の条件分岐により、処理は設定ルーチンＳ６０に移る。設定ルーチンＳ６０では、前述の位置修正ルーチンＳ５０によって距離標や基準地点の位置が変更された後に設備の表示位置の再計算を行い、または各設定ファイル２１の内容の変更を行う。図４９に設定ルーチンＳ６０のフローチャートを示す。
【０１１７】
ステップＳ６０１において、ディスプレイ４上に詳細設定画面を表示する。図５０に詳細設定画面を示す。詳細設定画面には施設位置再計算ボタン２２１と、設備アイコン設定欄２２２と、点検データ分類設定欄２２３と、任意色分け表示分類設定欄２２４が設けられる。
オペレータが、施設位置再計算ボタン２２１、設備アイコン設定欄２２２、点検データ分類設定欄２２３及び任意色分け表示分類設定欄２２４からなる４つの操作対象のいずれかを操作すると、図４９のステップＳ６０２において設定対象を指定する入力として受け付けて、これらの操作対象のいずれを操作したかに応じて、ステップＳ６０３の条件分岐によりステップＳ６０４〜Ｓ６０７にそれぞれ分岐する。
【０１１８】
ステップＳ６０２において、施設位置再計算ボタン２２１を押下すると、処理はステップＳ６０４に移る。ステップＳ６０４では、前述の位置修正ルーチンＳ５０によって距離標や基準地点の位置が変更された後に設備の表示位置の再計算を行う。図５１に、施設位置再計算処理ルーチンＳ６０４のフローチャートを示す。
【０１１９】
ステップＳ６１０において、図５２に示す再計算対象選択ウインドウをディスプレイ４に表示する。再計算対象選択ウインドウには、施設位置再計算機能、料金所位置再計算機能、庁舎位置再計算機能、街路位置再計算機能からなる４つの修正機能をそれぞれ選択するラジオボタン２３１〜２３４が表示され、オペレータは、これらのラジオボタンのいずれかを選択することにより、上記４つの再計算機能のいずれかを指定する。
【０１２０】
施設位置再計算機能を選択すると、図５１のステップＳ６１１の条件分岐により、処理は施設位置再計算ルーチンＳ６１２に移る。図５３に施設位置再計算ルーチンＳ６１２のフローチャートを示す。施設位置再計算ルーチンＳ６１２では、図１０に示す施設位置テーブル１６に記録されている緯度経度情報のうち、距離程によって配置位置が特定される設備の緯度経度情報の再計算を行う。したがって本ルーチンＳ６１２は、距離標の位置が変更された後に行う。
ステップＳ６２１では、図５４に示す施設位置再計算範囲指定ウインドウをディスプレイ４に表示する。施設位置再計算範囲指定ウインドウには、路線名入力欄２３５と、方向入力欄と、距離程範囲入力欄２３７が設けられている。オペレータが、再計算を行うべき設備が配置されている路線名、方向及び距離程の範囲をこれらの入力欄に入力し、これを受け付けることによって、設備の配置位置の再計算を行う範囲を指定する。
【０１２１】
ステップＳ６２２では、設備諸元テーブル１２から、ステップＳ６２１で入力された路線名及び方向に対応する路線コード及び方向コードを有し、かつ距離標フィールド（図３のＬ列）に記録される距離程がステップＳ６２１で入力された距離程の範囲内にある設備のレコードを選択する。
ステップＳ６２３では、ステップＳ６２２で選択されたそれぞれのレコードの設備の緯度経度を、各設備をそれぞれ挟む最寄りの距離標のそれぞれの距離程を用いて決定する。ステップＳ６２３の処理は図１８を参照して説明したルーチンＳ１１０と同様であるため、簡単のため説明を省略する。
ステップＳ６２４では、ステップＳ６２２で選択された設備諸元テーブル１２のレコードの設備のそれぞれについて、施設位置テーブル１６に記録されている緯度経度を、ステップＳ６２３で決定した値に修正する。
【０１２２】
図５２の再計算対象選択ウインドウにおいて料金所位置再計算機能を選択すると、図５１のステップＳ６１１の条件分岐により、処理は料金所位置再計算ルーチンＳ６１３に移る。図５５に料金所位置再計算ルーチンＳ６１３のフローチャートを示す。料金所位置再計算ルーチンＳ６１３では、図１０に示す施設位置テーブル１６に記録されている緯度経度情報のうち、料金所の位置による基準地点に基づいて配置位置が特定される設備の緯度経度情報の再計算を行う。したがって本ルーチンＳ６１３は、料金所に関する基準地点の位置が変更された後に行う。
【０１２３】
ステップＳ６３１では、図５６に示す料金所位置再計算範囲指定ウインドウをディスプレイ４に表示する。料金所位置再計算範囲指定ウインドウには、路線名入力欄２３８と、庁舎・料金所名称入力欄２３９が設けられている。これらの入力欄に対して、再計算を行うべき設備が配置されている路線名と庁舎・料金所名称をオペレータが入力すると、これを受け付け、設備の配置位置の再計算を行う範囲を指定する。
【０１２４】
ステップＳ６３２では、設備諸元テーブル１２から、ステップＳ６３１で入力された路線名及び庁舎・料金所名称に対応する路線コード及び庁舎・料金所コードを有し、かつ庁舎／料金所種別の値が料金所を意味する「２」である設備のレコードを選択する。
ステップＳ６３３では、ステップＳ６３２で選択されたそれぞれの設備のレコードの庁舎・料金所コードフィールド（図３のＩ列）に記録される庁舎／料金所コードに対して、基準地点テーブル１５内に記録された緯度経度情報を取得して、それぞれの設備の配置位置の緯度経度として決定する。
ステップＳ６３４では、ステップＳ６３２で選択された設備諸元テーブル１２のレコードの設備にそれぞれについて、施設位置テーブル１６に記録されている緯度経度を、ステップＳ６３３で決定した値に修正する。
【０１２５】
図５２の再計算対象選択ウインドウにおいて庁舎位置再計算機能を選択すると、図５１のステップＳ６１１の条件分岐により、処理は庁舎位置再計算ルーチンＳ６１４に移る。庁舎位置再計算ルーチンＳ６１４では、図１０に示す施設位置テーブル１６に記録されている緯度経度情報のうち、庁舎の位置による基準地点に基づいて配置位置が特定される設備の緯度経度情報の再計算を行う。対象とする設備が設置される基準地点が庁舎である以外は料金所位置再計算ルーチンＳ６１３と同様の処理を行う。したがって簡単のため説明を省略する。
【０１２６】
図５２の再計算対象選択ウインドウにおいて街路位置再計算機能を選択すると、図５１のステップＳ６１１の条件分岐により、処理は街路位置再計算ルーチンＳ６１５に移る。街路位置再計算ルーチンＳ６１５では、図１０に示す施設位置テーブル１６に記録されている緯度経度情報のうち、街路の位置による基準地点に基づいて配置位置が特定される設備の緯度経度情報の再計算を行う。対象とする設備が設置される基準地点が街路である以外は料金所位置再計算ルーチンＳ６１３と同様の処理を行う。したがって簡単のため説明を省略する。
【０１２７】
図４９に戻り、ステップＳ６０２において、設備アイコン設定欄２２２を操作すると、処理はステップＳ６０５に移る。図５７は設備アイコン設定欄２２２を示す図である。設備アイコン設定欄２２２は、アイコン形状を指定するアイコン指定欄２４１を有する。ステップＳ６０５において、オペレータがアイコン指定欄２４１にてアイコンを指定すると、図１２の（Ｂ）に示したアイコン一覧テーブルのアイコン種別欄の内容を変更する。
【０１２８】
図４９に戻り、ステップＳ６０２において、点検データ分類設定欄２２３を操作すると、処理はステップＳ６０６に移る。図５８は点検データ分類設定欄２２３を示す図である。
点検データ分類設定欄２２３は、図１１の（Ａ）に示す経過年数分類定義テーブルの色欄に指定する色コードを変更する色指定ボタン２５１と、境界値欄を変更する境界値欄入力欄２５２と、図１２の（Ａ）の同一地点優先表示設定テーブルにおいて経過年数について定義された順序を変更する順序変更欄２５３を有する。
【０１２９】
また点検データ分類設定欄２２３は、図１１の（Ｂ）に示す設置年度分類定義テーブルの色欄に指定する色コードを変更する色指定ボタン２６１と、境界値欄を変更する境界値欄入力欄２６２と、図１２の（Ａ）の同一地点優先表示設定テーブルにおいて設置年度について定義された順序を変更する順序変更欄２６３を有する。
さらに点検データ分類設定欄２２３は、図１１の（Ｃ）に示す検査結果分類定義テーブルの色欄に指定する色コードを変更する色指定ボタン２７１と、境界値欄を変更する境界値欄入力欄２７２と、図１２の（Ａ）の同一地点優先表示設定テーブルにおいて検査結果について定義された順序を変更する順序変更欄２７３を有する。
Ｓ６０６においてこれらの入力欄の内容をオペレータが変更すると、図１１の（Ａ）〜（Ｃ）に示す各分類定義テーブルと図１２の（Ａ）の同一地点優先表示設定テーブルの内容を変更する。
【０１３０】
図４９に戻り、ステップＳ６０２において、任意色分け表示分類設定欄２２４を操作すると、処理はステップＳ６０７に移る。図５９は任意色分け表示分類設定欄２２４を示す図である。任意色分け表示分類設定欄２２４は、図１１の（Ｄ）に示す任意色分け分類定義テーブルの色欄に指定する色コードを変更する色指定ボタン２８１と、コメント欄を変更するコメント欄入力欄２８２と、図１２の（Ａ）の同一地点優先表示設定テーブルにおいて任意色分けについて定義された順序を変更する順序変更欄２８３を有する。
Ｓ６０７においてこれらの入力欄の内容をオペレータが変更すると、図１１の（Ｄ）に示す任意色分け分類定義テーブルと図１２の（Ａ）の同一地点優先表示設定テーブルの内容を変更する。
【０１３１】
図１５に戻り、路線図表示画面において不図示の「戻る」ボタンを押下すると、図１３に示すフローチャートのステップＳ３の条件分岐により、図１４に示す路線選択画面が表示される。
そしてステップＳ４において、路線選択画面の終了ボタン１０４が押下されると設備情報管理プログラム１１は終了し、終了ボタン１０４が押下されない限り処理をステップＳ１に戻す。
【０１３２】
図６０は、本発明の実施例による距離標データ作成プログラム４１の全体フローチャートであり、図６１は距離標データ作成プログラムの動作説明図である。
上述の設備情報管理プログラム１１は、距離標テーブル１４に記録されている各距離標の距離程及び緯度経度情報を使用して、各設備の距離程情報を緯度経度情報に変換することにより、路線図中における各設備の２次元位置を取得している。また上述の通り、設備の緯度経度情報は、この設備を挟む２つの距離標の緯度経度情報を補間することによって算出している。ここで、設備が設置される路線は必ずしも直線区間ばかりでなくカーブ区間も含むので、設備の位置を路線図中に正確に表示するには、できるだけ多くの距離標のデータが必要である。
【０１３３】
しかしながら、数多くの距離標の距離程情報及び緯度経度情報を対応付けてコンピュータ１に入力するためには多大の労力を必要とする。距離標データ作成プログラム４１は、以下に説明する方法によって、路線に沿って所定の距離標間隔Ｐを隔てて設定される各距離標のそれぞれの緯度経度情報を含む距離標データを容易に作成することを可能とする。
ステップＳ８１では、距離標を設置しようとする路線図を含む地図（図６１の地図３００）をディスプレイ４上に表示する。地図を表示する動作は、図１６に示した地図表示ルーチンと同様であるため、簡単のため説明を省略する。
ステップＳ８２では、オペレータが当該路線Ｒの起点を地図３００の一点をマウス９で指示すると、この指示を受け付けてその点の位置情報の座標情報を取得する。図６２に示した地図３００では地点３０１が起点であると仮定する。
【０１３４】
ステップＳ８３では、ステップＳ８２で指定した起点３０１を中心とし、所定の距離標間隔Ｐを半径とする円３０２を地図３００上に表示する。すると、起点から所定の距離標間隔Ｐだけ離れた次の距離標３１１の位置は、円３０２と路線Ｒとの交差箇所の近くにあることが分かるため、次の距離標３１１の位置を容易に決定することができる。
そして、ステップＳ８４において、オペレータが次の距離標３１１の位置をマウス９で指示すると、この指示を受け付けてその点の位置情報の座標情報を取得する。
ステップＳ８５では、ステップＳ８４で取得した座標情報を緯度経度情報に変換する。この処理は図２６を参照して説明した緯度経度取得ルーチンＳ３０１と同様であるため、簡単のため説明を省略する。
【０１３５】
ステップＳ８６では、オペレータがステップＳ８４で位置を指定した距離標の諸元データ、すなわち図８に示す距離標テーブル１４に記録するべき、路線コード、地点名称、方向コード及び距離程の値を入力する。これらの諸元データを受け付けると、入力した諸元データとステップＳ８５で取得した緯度経度情報とから、距離標テーブル１４の新しいレコードを生成して、距離標テーブル１４に追加する。
【０１３６】
ステップＳ８７では、ステップＳ８４で指定した距離標３１１の位置を中心とし、所定の距離標間隔Ｐを半径とする円３１２を地図３００上に表示する。すると、距離標３１１から所定の距離標間隔Ｐだけ離れた次の距離標３２１の位置もまた、円３１２と路線Ｒとの交差箇所の近くにあることが分かるため、次の距離標３２１の位置を容易に決定することができる。
以下、入力すべき距離標が尽きるまでステップＳ８４〜Ｓ８８を繰り返し、順次距離標テーブル１４に新しいデータを追加する。
【産業上の利用可能性】
【０１３７】
本発明は、道路や鉄道などの所定の路線に沿って配置された設備に関する所定のデータ、例えば設備諸元データや設備点検データなど、をコンピュータを用いて管理するプログラム及び方法に利用可能である。
【図面の簡単な説明】
【０１３８】
【図１】本発明の実施例による設備情報管理プログラム及び距離標データ作成プログラムを実行させるハードウエアの構成例を示すブロック図である。
【図２】図１に示されたハードディスクの記憶内容を示すブロック図である。
【図３】設備諸元テーブルのテーブル構造を示す図である。
【図４】設備諸元データのテーブル構造を示す図である。
【図５】（Ａ）は路線マスタテーブルのテーブル構造を示す図であり、（Ｂ）は方向マスタテーブルの内容の例を示す図であり、（Ｃ）は設備マスタテーブルのテーブル構造を示す図であり、（Ｄ）は庁舎／料金所マスタテーブルのテーブル構造を示す図である。
【図６】図５の（Ｃ）に示す設備マスタテーブルの内容例を示す図である。
【図７】設備点検テーブルのテーブル構造を示す図である。
【図８】距離標テーブルのデータ構造を示す図である。
【図９】基準地点テーブルのデータ構造を示す図である。
【図１０】施設位置テーブルのテーブル構造を示す図である。
【図１１】設定ファイルの内容例を示す図（その１）である。
【図１２】設定ファイルの内容例を示す図（その２）である。
【図１３】設備情報管理プログラムの全体フローチャートである。
【図１４】路線選択画面を示す図である。
【図１５】路線図表示画面を示す図である。
【図１６】路線図を表示するための地図表示ルーチンのフローチャートである。
【図１７】図１７はデータ取り込みルーチンのフローチャートである。
【図１８】距離標テーブルに記録された距離標の位置情報から設備の配置位置を決定するサブルーチンのフローチャートを示す図である。
【図１９】図１９は、図１８の決定方法の説明図である。
【図２０】基準地点テーブルに記録された基準地点の位置情報から設備の配置位置を決定するサブルーチンのフローチャートを示す図である。
【図２１】表示施設選択ルーチンＳ２０のフローチャートである。
【図２２】図２１に示すステップＳ２０１〜Ｓ２０３において表示される表示施設選択ウインドウを示す図である。
【図２３】アイコン表示ルーチンのフローチャートである。
【図２４】ディスプレイ上に表示された路線図にアイコンが表示された状態を示す図である。
【図２５】諸元情報表示ルーチンのフローチャートである。
【図２６】図２５に示す緯度経度取得ルーチンＳ３０１のフローチャートを示す。
【図２７】設備諸元情報及び設備点検情報を表示するための施設情報表示ウインドウを示す図である。
【図２８】図２５に示す設備選択受付処理ステップＳ３０７において、複数のレコードのうちいずれかを選択する設備選択ウインドウを示す図である。
【図２９】色分け／検索表示ルーチンのフローチャートである。
【図３０】表示種別選択ボタンが表示された状態を示す図である。
【図３１】色分け／検索種別指定ウインドウを示す図である。
【図３２】色分け／検索条件指定ウインドウを示す図である。
【図３３】図２９に示す表示レコード絞り込みルーチンＳ４０５のフローチャートである。
【図３４】図２９に示す同一地点優先表示処理ルーチンＳ４０７のフローチャートである。
【図３５】位置修正ルーチンＳ５０のフローチャートである。
【図３６】修正対象選択ウインドウを示す図である。
【図３７】距離標修正処理ルーチンＳ５１０のフローチャートである。
【図３８】距離標の位置を修正する前の路線図を示す図である。
【図３９】距離標諸元情報入力ウインドウを示す図である。
【図４０】距離標の位置を修正した後の路線図を示す図である。
【図４１】基準地点修正処理ルーチンＳ５２０のフローチャートである。
【図４２】基準地点の位置を修正する前の路線図を示す図である。
【図４３】基準地点諸元情報入力ウインドウを示す図である。
【図４４】基準地点の位置を修正した後の路線図を示す図である。
【図４５】施設位置修正処理ルーチンＳ５３０のフローチャートである。
【図４６】大縮尺の路線図用の修正位置を示す図である。
【図４７】小縮尺の路線図用の修正位置を示す図である。
【図４８】設備諸元情報入力ウインドウを示す図である。
【図４９】設定ルーチンＳ６０のフローチャートである。
【図５０】詳細設定画面を示す図である。
【図５１】施設位置再計算処理ルーチンＳ６０４のフローチャートである。
【図５２】再計算対象選択ウインドウを示す図である。
【図５３】施設位置再計算ルーチンＳ６１２のフローチャートである。
【図５４】施設位置再計算範囲指定ウインドウを示す図である。
【図５５】料金所位置再計算ルーチンＳ６１３のフローチャートである。
【図５６】料金所位置再計算範囲指定ウインドウを示す図である。
【図５７】設備アイコン設定欄を示す図である。
【図５８】点検データ分類設定欄を示す図である。
【図５９】任意色分け表示分類設定欄を示す図である。
【図６０】距離標データ作成プログラムの全体フローチャートである。
【図６１】距離標データ作成プログラムの動作説明図である。
【符号の説明】
【０１３９】
１    コンピュータ
２    ＣＰＵ
３    メモリ
４    ディスプレイ
５    キーボード
６    ハードディスク
７    プリンタ
８    データ入出力装置
３１    設備諸元データ
３２    設備点検データ
【図１】
2008116796.tif 000003
【図２】
2008116796.tif 000004
【図３】
2008116796.tif 000005
【図４】
2008116796.tif 000006
【図５】
2008116796.tif 000007
【図６】
2008116796.tif 000008
【図７】
2008116796.tif 000009
【図８】
2008116796.tif 000010
【図９】
2008116796.tif 000011
【図１０】
2008116796.tif 000012
【図１１】
2008116796.tif 000013
【図１２】
2008116796.tif 000014
【図１３】
2008116796.tif 000015
【図１５】
2008116796.tif 000016
【図１６】
2008116796.tif 000017
【図１７】
2008116796.tif 000018
【図１８】
2008116796.tif 000019
【図１９】
2008116796.tif 000020
【図２０】
2008116796.tif 000021
【図２１】
2008116796.tif 000022
【図２３】
2008116796.tif 000023
【図２４】
2008116796.tif 000024
【図２５】
2008116796.tif 000025
【図２６】
2008116796.tif 000026
【図２９】
2008116796.tif 000027
【図３０】
2008116796.tif 000028
【図３３】
2008116796.tif 000029
【図３４】
2008116796.tif 000030
【図３５】
2008116796.tif 000031
【図３７】
2008116796.tif 000032
【図３８】
2008116796.tif 000033
【図４０】
2008116796.tif 000034
【図４１】
2008116796.tif 000035
【図４２】
2008116796.tif 000036
【図４４】
2008116796.tif 000037
【図４５】
2008116796.tif 000038
【図４６】
2008116796.tif 000039
【図４７】
2008116796.tif 000040
【図４９】
2008116796.tif 000041
【図５１】
2008116796.tif 000042
【図５３】
2008116796.tif 000043
【図５５】
2008116796.tif 000044
【図６０】
2008116796.tif 000045
【図６１】
2008116796.tif 000046
【図１４】
2008116796.tif 000047
【図２２】
2008116796.tif 000048
【図２７】
2008116796.tif 000049
【図２８】
2008116796.tif 000050
【図３１】
2008116796.tif 000051
【図３２】
2008116796.tif 000052
【図３６】
2008116796.tif 000053
【図３９】
2008116796.tif 000054
【図４３】
2008116796.tif 000055
【図４８】
2008116796.tif 000056
【図５０】
2008116796.tif 000057
【図５２】
2008116796.tif 000058
【図５４】
2008116796.tif 000059
【図５６】
2008116796.tif 000060
【図５７】
2008116796.tif 000061
【図５８】
2008116796.tif 000062
【図５９】
2008116796.tif 000063